(57)【要約】  ３枚以上のレンズ素子で構成される正パワーの第１レンズ群、負パワーの第２レンズ群、正パワーの第３レンズ群、負パワーの第４レンズ群、正パワーの第５レンズ群を備え、撮像時の広角端から望遠端へのズーミングの際に、少なくとも第１レンズ群、第２レンズ群、第３レンズ群が像面に対して移動し、条件：３．２＜ＬＧ３／（ｆＴ×ｔａｎ（ωＴ））及び２．０＜｜ＭＧ１／（ｆＴ×ｔａｎ（ωＴ））｜＜１５．０（ＬＧ３：第３レンズ群の光軸上での厚み、ｆＴ：望遠端における全系の焦点距離、ωＴ：望遠端における半画角、ＭＧ１：ズーミング時の第１レンズ群の光軸方向の移動量）を満足するズームレンズ系。
2013114515.tif 000002
【特許請求の範囲】
【請求項１】
物体側から像側へと順に、
正のパワーを有する第１レンズ群と、
負のパワーを有する第２レンズ群と、
正のパワーを有する第３レンズ群と、
負のパワーを有する第４レンズ群と、
正のパワーを有する第５レンズ群とを備え、
前記第１レンズ群が、３枚以上のレンズ素子で構成され、
撮像時の広角端から望遠端へのズーミングの際に、少なくとも前記第１レンズ群と前記第２レンズ群と前記第３レンズ群とが像面に対して移動し、
以下の条件（１）及び（２）を満足する、ズームレンズ系：
３．２＜ＬＧ３／（ｆＴ×ｔａｎ（ωＴ））  ・・・（１）
２．０＜｜ＭＧ１／（ｆＴ×ｔａｎ（ωＴ））｜＜１５．０  ・・・（２）
ここで、
ＬＧ３：第３レンズ群の光軸上での厚み、
ｆＴ：望遠端における全系の焦点距離、
ωＴ：望遠端における半画角、
ＭＧ１：撮像時の広角端から望遠端へのズーミングの際の、第１レンズ群の光軸方向の移動量
である。
【請求項２】
前記第２レンズ群が、物体側から像側へと順に、負のパワーを有する第１レンズ素子と負のパワーを有する第２レンズ素子とを有し、
前記第１レンズ素子及び前記第２レンズ素子が、以下の条件（３）及び（４）を満足する、請求項１に記載のズームレンズ系：
４．１＜｜Ｒ２ａ／Ｒ２ｂ｜  ・・・（３）
−０．１＜（Ｒ２ｂ−Ｒ２ｃ）／（Ｒ２ｂ＋Ｒ２ｃ）  ・・・（４）
ここで、
Ｒ２ａ：第１レンズ素子の物体側面の曲率半径、
Ｒ２ｂ：第１レンズ素子の像側面の曲率半径、
Ｒ２ｃ：第２レンズ素子の像側面の曲率半径
である。
【請求項３】
前記第３レンズ群が、少なくとも１枚の正のパワーを有するレンズ素子を有し、以下の条件（５）を満足する、請求項１に記載のズームレンズ系：
Ｎ３ｐ＜１．６４  ・・・（５）
ここで、
Ｎ３ｐ：第３レンズ群を構成する正のパワーを有するレンズ素子の、ｄ線に対する屈折率の平均値
である。
【請求項４】
以下の条件（６）を満足する、請求項１に記載のズームレンズ系：
０．６＜｜ＭＧ４／ＭＧ２｜＜８．０  ・・・（６）
ここで、
ＭＧ２：撮像時の広角端から望遠端へのズーミングの際の、第２レンズ群の光軸方向の移動量、
ＭＧ４：撮像時の広角端から望遠端へのズーミングの際の、第４レンズ群の光軸方向の移動量
である。
【請求項５】
以下の条件（７）を満足する、請求項１に記載のズームレンズ系：
０．３＜ｆＧ１／ｆＴ＜０．９  ・・・（７）
ここで、
ｆＧ１：第１レンズ群の焦点距離、
ｆＴ：望遠端における全系の焦点距離
である。
【請求項６】
以下の条件（８）を満足する、請求項１に記載のズームレンズ系：
１０＜｜（Ｇ４Ｔ−Ｇ４Ｍ）／（Ｇ４Ｍ−Ｇ４Ｗ）｜  ・・・（８）
ここで、
Ｇ４Ｗ：広角端における第４レンズ群の物体側面頂から像面までの距離、
Ｇ４Ｔ：望遠端における第４レンズ群の物体側面頂から像面までの距離、
Ｇ４Ｍ：中間位置における第４レンズ群の物体側面頂から像面までの距離、
中間位置：全系の焦点距離ｆＭが次式で表される位置
ｆＭ＝√（ｆＷ＊ｆＴ）、
ｆＷ：広角端における全系の焦点距離、
ｆＴ：望遠端における全系の焦点距離
である。
【請求項７】
以下の条件（９）を満足する、請求項１に記載のズームレンズ系：
｜ＭＧ５／（ｆＴ×ｔａｎ（ωＴ））｜＜１．５  ・・・（９）
ここで、
ＭＧ５：撮像時の広角端から望遠端へのズーミングの際の、第５レンズ群の光軸方向の移動量、
ｆＴ：望遠端における全系の焦点距離、
ωＴ：望遠端における半画角
である。
【請求項８】
前記第２レンズ群が、少なくとも１組の接合レンズ素子を含む、請求項１に記載のズームレンズ系。
【請求項９】
無限遠合焦状態から近接物体合焦状態へのフォーカシングの際に、像面に対して移動するフォーカシングレンズ群を備え、
前記フォーカシングレンズ群が、１枚のレンズ素子で構成される、請求項１に記載のズームレンズ系。
【請求項１０】
撮像時の広角端から望遠端へのズーミングの際に、少なくとも１つのレンズ群が、像面に対して固定されている、請求項１に記載のズームレンズ系。
【請求項１１】
物体の光学的な像を電気的な画像信号として出力可能な撮像装置であって、
物体の光学的な像を形成するズームレンズ系と、
該ズームレンズ系により形成された光学的な像を電気的な画像信号に変換する撮像素子と
を備え、
前記ズームレンズ系が、請求項１に記載のズームレンズ系である、撮像装置。
【請求項１２】
物体の光学的な像を電気的な画像信号に変換し、変換された画像信号の表示及び記憶の少なくとも一方を行うカメラであって、
物体の光学的な像を形成するズームレンズ系と、該ズームレンズ系により形成された光学的な像を電気的な画像信号に変換する撮像素子とを含む撮像装置を備え、
前記ズームレンズ系が、請求項１に記載のズームレンズ系である、カメラ。
【発明の詳細な説明】
【技術分野】
【０００１】
本開示は、ズームレンズ系、撮像装置及びカメラに関する。
【背景技術】
【０００２】
近年、高画素のＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）等の固体撮像素子の開発が進み、これら高画素の固体撮像素子に対応した、高い光学性能を有する撮像光学系を含む撮像装置を備えたデジタルスチルカメラやデジタルビデオカメラ（以下、単に「デジタルカメラ」という）が急速に普及してきている。このような高い光学性能を有するデジタルカメラの中でも、特に、１台のデジタルカメラで広角域から高望遠域までの広い焦点距離範囲をカバーすることができる、ズーム比が高いズームレンズ系を搭載したコンパクトタイプのデジタルカメラが、その利便性から強く要望されている。またさらに、撮影範囲が広い広角域を持つズームレンズ系も求められている。【０００３】
前記コンパクトタイプのデジタルカメラに対しては、例えば次のような種々のズームレンズ系が提案されている。【０００４】
特許文献１、２及び５には、正負正負正の５群構成を有し、ズーム比が２０〜３０倍と高倍率のズームレンズが開示され、特許文献３及び４には、正負正の３つのレンズ群と１つ以上のレンズ群を含む後続レンズ群とを有し、ズーム比が２０〜３０倍と高倍率のズームレンズが開示されている。
【先行技術文献】
【特許文献】
【０００５】
【特許文献１】特開２０１１−１２３３３７号公報
【特許文献２】特開２０１１−０７５９８５号公報
【特許文献３】特開２０１１−０３３８６８号公報
【特許文献４】特開２０１０−２７６６５５号公報
【特許文献５】特開２００９−２８２３９８号公報
【発明の概要】
【発明が解決しようとする課題】
【０００６】
本開示は、高解像度を有するのは勿論のこと、小型でありながら広角端での画角が８０°以上で広角撮影に充分に適応でき、しかも２４倍以上の大きなズーム比を有しながら、広角端から望遠端までＦナンバーが２．８程度と明るいズームレンズ系を提供する。また本開示は、該ズームレンズ系を含む撮像装置、及び該撮像装置を備えたコンパクトなカメラを提供する。
【課題を解決するための手段】
【０００７】
本開示におけるズームレンズ系は、
物体側から像側へと順に、
正のパワーを有する第１レンズ群と、
負のパワーを有する第２レンズ群と、
正のパワーを有する第３レンズ群と、
負のパワーを有する第４レンズ群と、
正のパワーを有する第５レンズ群とを備え、
前記第１レンズ群が、３枚以上のレンズ素子で構成され、
撮像時の広角端から望遠端へのズーミングの際に、少なくとも前記第１レンズ群と前記第２レンズ群と前記第３レンズ群とが像面に対して移動し、
以下の条件（１）及び（２）：
３．２＜ＬＧ３／（ｆＴ×ｔａｎ（ωＴ））  ・・・（１）
２．０＜｜ＭＧ１／（ｆＴ×ｔａｎ（ωＴ））｜＜１５．０  ・・・（２）
（ここで、
ＬＧ３：第３レンズ群の光軸上での厚み、
ｆＴ：望遠端における全系の焦点距離、
ωＴ：望遠端における半画角、
ＭＧ１：撮像時の広角端から望遠端へのズーミングの際の、第１レンズ群の光軸方向の移動量
である）
を満足することを特徴とする。【０００８】
本開示における撮像装置は、
物体の光学的な像を電気的な画像信号として出力可能な撮像装置であって、
物体の光学的な像を形成するズームレンズ系と、
該ズームレンズ系により形成された光学的な像を電気的な画像信号に変換する撮像素子と
を備え、
前記ズームレンズ系が、
物体側から像側へと順に、
正のパワーを有する第１レンズ群と、
負のパワーを有する第２レンズ群と、
正のパワーを有する第３レンズ群と、
負のパワーを有する第４レンズ群と、
正のパワーを有する第５レンズ群とを備え、
前記第１レンズ群が、３枚以上のレンズ素子で構成され、
撮像時の広角端から望遠端へのズーミングの際に、少なくとも前記第１レンズ群と前記第２レンズ群と前記第３レンズ群とが像面に対して移動し、
以下の条件（１）及び（２）：
３．２＜ＬＧ３／（ｆＴ×ｔａｎ（ωＴ））  ・・・（１）
２．０＜｜ＭＧ１／（ｆＴ×ｔａｎ（ωＴ））｜＜１５．０  ・・・（２）
（ここで、
ＬＧ３：第３レンズ群の光軸上での厚み、
ｆＴ：望遠端における全系の焦点距離、
ωＴ：望遠端における半画角、
ＭＧ１：撮像時の広角端から望遠端へのズーミングの際の、第１レンズ群の光軸方向の移動量
である）
を満足することを特徴とするズームレンズ系である。【０００９】
本開示におけるカメラは、
物体の光学的な像を電気的な画像信号に変換し、変換された画像信号の表示及び記憶の少なくとも一方を行うカメラであって、
物体の光学的な像を形成するズームレンズ系と、該ズームレンズ系により形成された光学的な像を電気的な画像信号に変換する撮像素子とを含む撮像装置を備え、
前記ズームレンズ系が、
物体側から像側へと順に、
正のパワーを有する第１レンズ群と、
負のパワーを有する第２レンズ群と、
正のパワーを有する第３レンズ群と、
負のパワーを有する第４レンズ群と、
正のパワーを有する第５レンズ群とを備え、
前記第１レンズ群が、３枚以上のレンズ素子で構成され、
撮像時の広角端から望遠端へのズーミングの際に、少なくとも前記第１レンズ群と前記第２レンズ群と前記第３レンズ群とが像面に対して移動し、
以下の条件（１）及び（２）：
３．２＜ＬＧ３／（ｆＴ×ｔａｎ（ωＴ））  ・・・（１）
２．０＜｜ＭＧ１／（ｆＴ×ｔａｎ（ωＴ））｜＜１５．０  ・・・（２）
（ここで、
ＬＧ３：第３レンズ群の光軸上での厚み、
ｆＴ：望遠端における全系の焦点距離、
ωＴ：望遠端における半画角、
ＭＧ１：撮像時の広角端から望遠端へのズーミングの際の、第１レンズ群の光軸方向の移動量
である）
を満足することを特徴とするズームレンズ系である。
【発明の効果】
【００１０】
本開示におけるズームレンズ系は、高解像度を有するのは勿論のこと、小型でありながら広角端での画角が８０°以上で広角撮影に充分に適応でき、しかも２４倍以上の大きなズーム比を有しながら、広角端から望遠端までＦナンバーが２．８程度と明るい。
【図面の簡単な説明】
【００１１】
【図１】図１は、実施の形態１（数値実施例１）に係るズームレンズ系の無限遠合焦状態を示すレンズ配置図である。
【図２】図２は、数値実施例１に係るズームレンズ系の無限遠合焦状態の縦収差図である。
【図３】図３は、数値実施例１に係るズームレンズ系の望遠端における、像ぶれ補正を行っていない基本状態及び像ぶれ補正状態での横収差図である。
【図４】図４は、実施の形態２（数値実施例２）に係るズームレンズ系の無限遠合焦状態を示すレンズ配置図である。
【図５】図５は、数値実施例２に係るズームレンズ系の無限遠合焦状態の縦収差図である。
【図６】図６は、数値実施例２に係るズームレンズ系の望遠端における、像ぶれ補正を行っていない基本状態及び像ぶれ補正状態での横収差図である。
【図７】図７は、実施の形態３（数値実施例３）に係るズームレンズ系の無限遠合焦状態を示すレンズ配置図である。
【図８】図８は、数値実施例３に係るズームレンズ系の無限遠合焦状態の縦収差図である。
【図９】図９は、数値実施例３に係るズームレンズ系の望遠端における、像ぶれ補正を行っていない基本状態及び像ぶれ補正状態での横収差図である。
【図１０】図１０は、実施の形態４（数値実施例４）に係るズームレンズ系の無限遠合焦状態を示すレンズ配置図である。
【図１１】図１１は、数値実施例４に係るズームレンズ系の無限遠合焦状態の縦収差図である。
【図１２】図１２は、数値実施例４に係るズームレンズ系の望遠端における、像ぶれ補正を行っていない基本状態及び像ぶれ補正状態での横収差図である。
【図１３】図１３は、実施の形態５（数値実施例５）に係るズームレンズ系の無限遠合焦状態を示すレンズ配置図である。
【図１４】図１４は、数値実施例５に係るズームレンズ系の無限遠合焦状態の縦収差図である。
【図１５】図１５は、数値実施例５に係るズームレンズ系の望遠端における、像ぶれ補正を行っていない基本状態及び像ぶれ補正状態での横収差図である。
【図１６】図１６は、実施の形態６（数値実施例６）に係るズームレンズ系の無限遠合焦状態を示すレンズ配置図である。
【図１７】図１７は、数値実施例６に係るズームレンズ系の無限遠合焦状態の縦収差図である。
【図１８】図１８は、数値実施例６に係るズームレンズ系の望遠端における、像ぶれ補正を行っていない基本状態及び像ぶれ補正状態での横収差図である。
【図１９】図１９は、実施の形態７に係るデジタルスチルカメラの概略構成図である。
【発明を実施するための形態】
【００１２】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１３】
なお、発明者らは、当業者が本開示を充分に理解するために添付図面および以下の説明を提供するのであって、これらによって請求の範囲に記載の主題を限定することを意図するものではない。
【００１４】
（実施の形態１〜６）
図１、４、７、１０、１３及び１６は、各々実施の形態１〜６に係るズームレンズ系のレンズ配置図である。
【００１５】
図１、４、７、１０、１３及び１６は、いずれも無限遠合焦状態にあるズームレンズ系を表している。各図において、（ａ）図は広角端（最短焦点距離状態：焦点距離ｆＷ）のレンズ構成、（ｂ）図は中間位置（中間焦点距離状態：焦点距離ｆＭ＝√（ｆＷ＊ｆＴ））のレンズ構成、（ｃ）図は望遠端（最長焦点距離状態：焦点距離ｆＴ）のレンズ構成をそれぞれ表している。また各図において、（ａ）図と（ｂ）図との間に設けられた直線乃至曲線の矢印は、広角端から中間位置を経由して望遠端への、各レンズ群の動きを示す。さらに各図において、レンズ群に付された矢印は、無限遠合焦状態から近接物体合焦状態へのフォーカシングを表す。すなわち、無限遠合焦状態から近接物体合焦状態へのフォーカシングの際の移動方向を示している。
【００１６】
図１、４、７、１０、１３及び１６において、特定の面に付されたアスタリスク＊は、該面が非球面であることを示している。また各図において、各レンズ群の符号に付された記号（＋）及び記号（−）は、各レンズ群のパワーの符号に対応する。また各図において、最も右側に記載された直線は、像面Ｓの位置を表す。
【００１７】
図１、４、７、１０、１３及び１６において、第２レンズ群Ｇ２と第３レンズ群Ｇ３との間に開口絞りＡが設けられている。
【００１８】
（実施の形態１）
図１に示すように、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とが接合されている。
【００１９】
第２レンズ群Ｇ２は、物体側から像側へと順に、両凹形状の第４レンズ素子Ｌ４と、両凹形状の第５レンズ素子Ｌ５と、両凸形状の第６レンズ素子Ｌ６と、両凹形状の第７レンズ素子Ｌ７とからなる。これらのうち、第５レンズ素子Ｌ５と第６レンズ素子Ｌ６とが接合されている。また、第４レンズ素子Ｌ４は、その両面が非球面である。
【００２０】
第３レンズ群Ｇ３は、物体側から像側へと順に、物体側に凸面を向けた正メニスカス形状の第８レンズ素子Ｌ８と、両凸形状の第９レンズ素子Ｌ９と、両凹形状の第１０レンズ素子Ｌ１０と、両凸形状の第１１レンズ素子Ｌ１１とからなる。これらのうち、第９レンズ素子Ｌ９と第１０レンズ素子Ｌ１０とが接合されている。また、第８レンズ素子Ｌ８及び第１１レンズ素子Ｌ１１は、各々その両面が非球面である。
【００２１】
第４レンズ群Ｇ４は、物体側に凸面を向けた負メニスカス形状の第１２レンズ素子Ｌ１２のみからなる。
【００２２】
第５レンズ群Ｇ５は、両凸形状の第１３レンズ素子Ｌ１３のみからなる。また、第１３レンズ素子Ｌ１３は、その両面が非球面である。
【００２３】
第６レンズ群Ｇ６は、物体側に凸面を向けた負メニスカス形状の第１４レンズ素子Ｌ１４のみからなる。また、第１４レンズ素子Ｌ１４は、その両面が非球面である。
【００２４】
撮像時の広角端から望遠端へのズーミングの際に、第１レンズ群Ｇ１は物体側へ移動し、第２レンズ群Ｇ２は像側へ移動し、第３レンズ群Ｇ３は開口絞りＡと一体的に物体側へ移動し、第４レンズ群Ｇ４は物体側へ移動し、第５レンズ群Ｇ５は像側へ移動し、第６レンズ群Ｇ６は移動しない。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が変化し、第４レンズ群Ｇ４と第５レンズ群Ｇ５との間隔が増大し、第５レンズ群Ｇ５と第６レンズ群Ｇ６との間隔が減少するように、第１レンズ群Ｇ１、第２レンズ群Ｇ２、第３レンズ群Ｇ３、第４レンズ群Ｇ４及び第５レンズ群Ｇ５が光軸に沿ってそれぞれ移動する。
【００２５】
また、無限遠合焦状態から近接物体合焦状態へのフォーカシングの際に、第４レンズ群Ｇ４が光軸に沿って像側へと移動する。
【００２６】
さらに、第３レンズ群Ｇ３を像ぶれ補正レンズ群として光軸に直行する方向に移動させることによって、全系の振動による像点移動を補正する、すなわち、手ぶれ、振動等による像のぶれを光学的に補正することができる。
【００２７】
（実施の形態２）
図４に示すように、第１レンズ群Ｇ１は、物体側から像側へと順に、物体側に凸面を向けた負メニスカス形状の第１レンズ素子Ｌ１と、両凸形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とが接合されている。
【００２８】
第２レンズ群Ｇ２は、物体側から像側へと順に、両凹形状の第４レンズ素子Ｌ４と、両凹形状の第５レンズ素子Ｌ５と、両凸形状の第６レンズ素子Ｌ６と、像側に凸面を向けた負メニスカス形状の第７レンズ素子Ｌ７とからなる。これらのうち、第５レンズ素子Ｌ５と第６レンズ素子Ｌ６とが接合されている。また、第４レンズ素子Ｌ４は、その両面が非球面である。
【００２９】
第３レンズ群Ｇ３は、物体側から像側へと順に、物体側に凸面を向けた正メニスカス形状の第８レンズ素子Ｌ８と、両凸形状の第９レンズ素子Ｌ９と、両凹形状の第１０レンズ素子Ｌ１０と、両凸形状の第１１レンズ素子Ｌ１１とからなる。これらのうち、第９レンズ素子Ｌ９と第１０レンズ素子Ｌ１０とが接合されている。また、第８レンズ素子Ｌ８及び第１１レンズ素子Ｌ１１は、各々その両面が非球面である。
【００３０】
第４レンズ群Ｇ４は、物体側に凸面を向けた負メニスカス形状の第１２レンズ素子Ｌ１２のみからなる。
【００３１】
第５レンズ群Ｇ５は、両凸形状の第１３レンズ素子Ｌ１３のみからなる。また、第１３レンズ素子Ｌ１３は、その両面が非球面である。
【００３２】
第６レンズ群Ｇ６は、物体側に凸面を向けた負メニスカス形状の第１４レンズ素子Ｌ１４のみからなる。
【００３３】
撮像時の広角端から望遠端へのズーミングの際に、第１レンズ群Ｇ１は物体側へ移動し、第２レンズ群Ｇ２は像側へ移動し、第３レンズ群Ｇ３は開口絞りＡと一体的に物体側へ移動し、第４レンズ群Ｇ４は物体側へ移動し、第５レンズ群Ｇ５は像側へ移動し、第６レンズ群Ｇ６は移動しない。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が変化し、第４レンズ群Ｇ４と第５レンズ群Ｇ５との間隔が増大し、第５レンズ群Ｇ５と第６レンズ群Ｇ６との間隔が減少するように、第１レンズ群Ｇ１、第２レンズ群Ｇ２、第３レンズ群Ｇ３、第４レンズ群Ｇ４及び第５レンズ群Ｇ５が光軸に沿ってそれぞれ移動する。
【００３４】
また、無限遠合焦状態から近接物体合焦状態へのフォーカシングの際に、第４レンズ群Ｇ４が光軸に沿って像側へと移動する。
【００３５】
さらに、第３レンズ群Ｇ３の一部である第１１レンズ素子Ｌ１１を像ぶれ補正レンズ群として光軸に直行する方向に移動させることによって、全系の振動による像点移動を補正する、すなわち、手ぶれ、振動等による像のぶれを光学的に補正することができる。
【００３６】
（実施の形態３）
図７に示すように、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２と、物体側に凸面を向けた正メニスカス形状の第３レンズ素子Ｌ３と、物体側に凸面を向けた正メニスカス形状の第４レンズ素子Ｌ４とからなる。これらのうち、第１レンズ素子Ｌ１と第２レンズ素子Ｌ２とが接合されている。
【００３７】
第２レンズ群Ｇ２は、物体側から像側へと順に、物体側に凸面を向けた負メニスカス形状の第５レンズ素子Ｌ５と、両凹形状の第６レンズ素子Ｌ６と、両凸形状の第７レンズ素子Ｌ７と、像側に凸面を向けた負メニスカス形状の第８レンズ素子Ｌ８とからなる。これらのうち、第６レンズ素子Ｌ６と第７レンズ素子Ｌ７とが接合されている。また、第５レンズ素子Ｌ５は、その両面が非球面である。
【００３８】
第３レンズ群Ｇ３は、物体側から像側へと順に、物体側に凸面を向けた正メニスカス形状の第９レンズ素子Ｌ９と、両凸形状の第１０レンズ素子Ｌ１０と、両凹形状の第１１レンズ素子Ｌ１１と、両凸形状の第１２レンズ素子Ｌ１２とからなる。これらのうち、第１０レンズ素子Ｌ１０と第１１レンズ素子Ｌ１１とが接合されている。また、第９レンズ素子Ｌ９及び第１２レンズ素子Ｌ１２は、各々その両面が非球面である。
【００３９】
第４レンズ群Ｇ４は、物体側に凸面を向けた負メニスカス形状の第１３レンズ素子Ｌ１３のみからなる。
【００４０】
第５レンズ群Ｇ５は、物体側から像側へと順に、両凸形状の第１４レンズ素子Ｌ１４と、物体側に凸面を向けた負メニスカス形状の第１５レンズ素子Ｌ１５とからなる。また、第１４レンズ素子Ｌ１４は、その両面が非球面である。
【００４１】
撮像時の広角端から望遠端へのズーミングの際に、第１レンズ群Ｇ１は物体側へ移動し、第２レンズ群Ｇ２は像側へ移動し、第３レンズ群Ｇ３は開口絞りＡと一体的に物体側へ移動し、第４レンズ群Ｇ４は物体側へ移動し、第５レンズ群Ｇ５は移動しない。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が変化し、第４レンズ群Ｇ４と第５レンズ群Ｇ５との間隔が増大するように、第１レンズ群Ｇ１、第２レンズ群Ｇ２、第３レンズ群Ｇ３及び第４レンズ群Ｇ４が光軸に沿ってそれぞれ移動する。
【００４２】
また、無限遠合焦状態から近接物体合焦状態へのフォーカシングの際に、第４レンズ群Ｇ４が光軸に沿って像側へと移動する。
【００４３】
さらに、第３レンズ群Ｇ３を像ぶれ補正レンズ群として光軸に直行する方向に移動させることによって、全系の振動による像点移動を補正する、すなわち、手ぶれ、振動等による像のぶれを光学的に補正することができる。
【００４４】
（実施の形態４）
図１０に示すように、第１レンズ群Ｇ１は、物体側から像側へと順に、物体側に凸面を向けた負メニスカス形状の第１レンズ素子Ｌ１と、両凸形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とが接合されている。
【００４５】
第２レンズ群Ｇ２は、物体側から像側へと順に、両凹形状の第４レンズ素子Ｌ４と、両凹形状の第５レンズ素子Ｌ５と、両凸形状の第６レンズ素子Ｌ６と、両凹形状の第７レンズ素子Ｌ７とからなる。また、第４レンズ素子Ｌ４は、その両面が非球面である。
【００４６】
第３レンズ群Ｇ３は、物体側から像側へと順に、両凸形状の第８レンズ素子Ｌ８と、両凸形状の第９レンズ素子Ｌ９と、像側に凸面を向けた負メニスカス形状の第１０レンズ素子Ｌ１０と、両凹形状の第１１レンズ素子Ｌ１１と、両凸形状の第１２レンズ素子Ｌ１２とからなる。これらのうち、第９レンズ素子Ｌ９と第１０レンズ素子Ｌ１０とが接合されている。また、第８レンズ素子Ｌ８及び第１２レンズ素子Ｌ１２は、各々その両面が非球面である。
【００４７】
第４レンズ群Ｇ４は、物体側に凸面を向けた負メニスカス形状の第１３レンズ素子Ｌ１３のみからなる。
【００４８】
第５レンズ群Ｇ５は、両凸形状の第１４レンズ素子Ｌ１４のみからなる。また、第１４レンズ素子Ｌ１４は、その両面が非球面である。
【００４９】
第６レンズ群Ｇ６は、物体側に凸面を向けた負メニスカス形状の第１５レンズ素子Ｌ１５のみからなる。
【００５０】
撮像時の広角端から望遠端へのズーミングの際に、第１レンズ群Ｇ１は物体側へ移動し、第２レンズ群Ｇ２は像側へ移動し、第３レンズ群Ｇ３は開口絞りＡと一体的に物体側へ移動し、第４レンズ群Ｇ４は物体側へ移動し、第５レンズ群Ｇ５は像側へ移動し、第６レンズ群Ｇ６は移動しない。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が変化し、第４レンズ群Ｇ４と第５レンズ群Ｇ５との間隔が増大し、第５レンズ群Ｇ５と第６レンズ群Ｇ６との間隔が減少するように、第１レンズ群Ｇ１、第２レンズ群Ｇ２、第３レンズ群Ｇ３、第４レンズ群Ｇ４及び第５レンズ群Ｇ５が光軸に沿ってそれぞれ移動する。
【００５１】
また、無限遠合焦状態から近接物体合焦状態へのフォーカシングの際に、第４レンズ群Ｇ４が光軸に沿って像側へと移動する。
【００５２】
さらに、第３レンズ群Ｇ３の一部である第８レンズ素子Ｌ８、第９レンズ素子Ｌ９及び第１０レンズ素子Ｌ１０の３枚のレンズ素子を像ぶれ補正レンズ群として一体的に光軸に直行する方向に移動させることによって、全系の振動による像点移動を補正する、すなわち、手ぶれ、振動等による像のぶれを光学的に補正することができる。
【００５３】
（実施の形態５）
図１３に示すように、第１レンズ群Ｇ１は、物体側から像側へと順に、物体側に凸面を向けた負メニスカス形状の第１レンズ素子Ｌ１と、両凸形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とが接合されている。
【００５４】
第２レンズ群Ｇ２は、物体側から像側へと順に、両凹形状の第４レンズ素子Ｌ４と、両凹形状の第５レンズ素子Ｌ５と、両凸形状の第６レンズ素子Ｌ６と、両凹形状の第７レンズ素子Ｌ７とからなる。これらのうち、第５レンズ素子Ｌ５と第６レンズ素子Ｌ６とが接合されている。また、第４レンズ素子Ｌ４は、その両面が非球面である。
【００５５】
第３レンズ群Ｇ３は、物体側から像側へと順に、物体側に凸面を向けた正メニスカス形状の第８レンズ素子Ｌ８と、両凸形状の第９レンズ素子Ｌ９と、両凹形状の第１０レンズ素子Ｌ１０と、両凸形状の第１１レンズ素子Ｌ１１とからなる。これらのうち、第９レンズ素子Ｌ９と第１０レンズ素子Ｌ１０とが接合されている。また、第８レンズ素子Ｌ８及び第１１レンズ素子Ｌ１１は、各々その両面が非球面である。
【００５６】
第４レンズ群Ｇ４は、物体側に凸面を向けた負メニスカス形状の第１２レンズ素子Ｌ１２のみからなる。
【００５７】
第５レンズ群Ｇ５は、両凸形状の第１３レンズ素子Ｌ１３のみからなる。また、第１３レンズ素子Ｌ１３は、その両面が非球面である。
【００５８】
第６レンズ群Ｇ６は、物体側に凸面を向けた負メニスカス形状の第１４レンズ素子Ｌ１４のみからなる。また、第１４レンズ素子Ｌ１４は、その両面が非球面である。
【００５９】
撮像時の広角端から望遠端へのズーミングの際に、第１レンズ群Ｇ１は物体側へ移動し、第２レンズ群Ｇ２は像側へ移動し、第３レンズ群Ｇ３は開口絞りＡと一体的に物体側へ移動し、第４レンズ群Ｇ４は物体側へ移動し、第５レンズ群Ｇ５は像側へ移動し、第６レンズ群Ｇ６は移動しない。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が変化し、第４レンズ群Ｇ４と第５レンズ群Ｇ５との間隔が増大し、第５レンズ群Ｇ５と第６レンズ群Ｇ６との間隔が減少するように、第１レンズ群Ｇ１、第２レンズ群Ｇ２、第３レンズ群Ｇ３、第４レンズ群Ｇ４及び第５レンズ群Ｇ５が光軸に沿ってそれぞれ移動する。
【００６０】
また、無限遠合焦状態から近接物体合焦状態へのフォーカシングの際に、第４レンズ群Ｇ４が光軸に沿って像側へと移動する。
【００６１】
さらに、第３レンズ群Ｇ３を像ぶれ補正レンズ群として光軸に直行する方向に移動させることによって、全系の振動による像点移動を補正する、すなわち、手ぶれ、振動等による像のぶれを光学的に補正することができる。
【００６２】
（実施の形態６）
図１６に示すように、第１レンズ群Ｇ１は、物体側から像側へと順に、物体側に凸面を向けた負メニスカス形状の第１レンズ素子Ｌ１と、両凸形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とが接合されている。
【００６３】
第２レンズ群Ｇ２は、物体側から像側へと順に、両凹形状の第４レンズ素子Ｌ４と、両凹形状の第５レンズ素子Ｌ５と、両凸形状の第６レンズ素子Ｌ６と、像側に凸面を向けた負メニスカス形状の第７レンズ素子Ｌ７とからなる。これらのうち、第５レンズ素子Ｌ５と第６レンズ素子Ｌ６とが接合されている。また、第４レンズ素子Ｌ４は、その両面が非球面である。
【００６４】
第３レンズ群Ｇ３は、物体側から像側へと順に、物体側に凸面を向けた正メニスカス形状の第８レンズ素子Ｌ８と、両凸形状の第９レンズ素子Ｌ９と、両凹形状の第１０レンズ素子Ｌ１０と、両凸形状の第１１レンズ素子Ｌ１１とからなる。これらのうち、第９レンズ素子Ｌ９と第１０レンズ素子Ｌ１０とが接合されている。また、第８レンズ素子Ｌ８及び第１１レンズ素子Ｌ１１は、各々その両面が非球面である。
【００６５】
第４レンズ群Ｇ４は、物体側に凸面を向けた負メニスカス形状の第１２レンズ素子Ｌ１２のみからなる。
【００６６】
第５レンズ群Ｇ５は、両凸形状の第１３レンズ素子Ｌ１３のみからなる。また、第１３レンズ素子Ｌ１３は、その両面が非球面である。
【００６７】
第６レンズ群Ｇ６は、物体側に凸面を向けた負メニスカス形状の第１４レンズ素子Ｌ１４のみからなる。
【００６８】
撮像時の広角端から望遠端へのズーミングの際に、第１レンズ群Ｇ１は物体側へ移動し、第２レンズ群Ｇ２は像側へ移動し、第３レンズ群Ｇ３は開口絞りＡと一体的に物体側へ移動し、第４レンズ群Ｇ４は物体側へ移動し、第５レンズ群Ｇ５は像側へ移動し、第６レンズ群Ｇ６は移動しない。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が変化し、第４レンズ群Ｇ４と第５レンズ群Ｇ５との間隔が増大し、第５レンズ群Ｇ５と第６レンズ群Ｇ６との間隔が減少するように、第１レンズ群Ｇ１、第２レンズ群Ｇ２、第３レンズ群Ｇ３、第４レンズ群Ｇ４及び第５レンズ群Ｇ５が、光軸に沿ってそれぞれ移動する。
【００６９】
また、無限遠合焦状態から近接物体合焦状態へのフォーカシングの際に、第４レンズ群Ｇ４が光軸に沿って像側へと移動する。
【００７０】
さらに、第３レンズ群Ｇ３の一部である第１１レンズ素子Ｌ１１を像ぶれ補正レンズ群として光軸に直行する方向に移動させることによって、全系の振動による像点移動を補正する、すなわち、手ぶれ、振動等による像のぶれを光学的に補正することができる。
【００７１】
実施の形態１〜３及び５〜６に係るズームレンズ系では、第２レンズ群Ｇ２が少なくとも１組の接合レンズ素子を含む。第２レンズ群Ｇ２に接合レンズ素子が含まれず、狭い間隔で複数のレンズ素子が配置されていると、空気間隔の誤差に対する性能劣化度合が高くなり、光学系の組み立てが困難となる場合がある。
【００７２】
実施の形態１〜６に係るズームレンズ系は、無限遠合焦状態から近接物体合焦状態へのフォーカシングの際に像面に対して移動するフォーカシングレンズ群（第４レンズ群Ｇ４）を備えており、該フォーカシングレンズ群は、１枚のレンズ素子で構成される。フォーカシングレンズ群が複数のレンズ素子で構成されていると、該フォーカシングレンズ群を光軸方向に移動するためのアクチュエータが大きくなり、コンパクトなレンズ鏡筒や撮像装置、カメラを提供することが困難となる。
【００７３】
実施の形態１〜６に係るズームレンズ系では、撮像時の広角端から望遠端へのズーミングの際に、少なくとも１つのレンズ群が像面に対して固定されている。ズーミングの際に像面に対して全てのレンズ群が移動すると、それらの駆動機構の構成が肥大化し、コンパクトなレンズ鏡筒や交換レンズ装置及びカメラシステムを提供することが困難となる。
【００７４】
以上のように、本出願において開示する技術の例示として、実施の形態１〜６を説明した。しかしながら、本開示における技術は、これに限定されず、適宜、変更、置き換え、付加、省略などを行った実施の形態にも適用可能である。
【００７５】
以下、例えば実施の形態１〜６に係るズームレンズ系のごときズームレンズ系が満足することが有益な条件を説明する。なお、各実施の形態に係るズームレンズ系に対して、複数の有益な条件が規定されるが、これら複数の条件すべてを満足するズームレンズ系の構成が最も有益である。しかしながら、個別の条件を満足することにより、それぞれ対応する効果を奏するズームレンズ系を得ることも可能である。
【００７６】
例えば実施の形態１〜６に係るズームレンズ系のように、物体側から像側へと順に、正のパワーを有する第１レンズ群と、負のパワーを有する第２レンズ群と、正のパワーを有する第３レンズ群と、負のパワーを有する第４レンズ群と、正のパワーを有する第５レンズ群とを備え、前記第１レンズ群が、３枚以上のレンズ素子で構成され、撮像時の広角端から望遠端へのズーミングの際に、少なくとも前記第１レンズ群と前記第２レンズ群と前記第３レンズ群とが像面に対して移動する（以下、このレンズ構成を、実施の形態の基本構成という）ズームレンズ系は、以下の条件（１）及び（２）を満足する。
３．２＜ＬＧ３／（ｆＴ×ｔａｎ（ωＴ））  ・・・（１）
２．０＜｜ＭＧ１／（ｆＴ×ｔａｎ（ωＴ））｜＜１５．０  ・・・（２）
ここで、
ＬＧ３：第３レンズ群の光軸上での厚み、
ｆＴ：望遠端における全系の焦点距離、
ωＴ：望遠端における半画角、
ＭＧ１：撮像時の広角端から望遠端へのズーミングの際の、第１レンズ群の光軸方向の移動量
である。
【００７７】
なお、ＭＧ１は、望遠端における像面から第１レンズ群の最物体側面までの光軸上の距離から、広角端における像面から第１レンズ群の最物体側面までの光軸上の距離を引いた値である。
【００７８】
前記条件（１）は、第３レンズ群の光軸上での厚みと、望遠端における全系の焦点距離及び半画角との関係を規定するための条件である。条件（１）の下限を下回ると、第３レンズ群内におけるレンズ素子同士の間隔が狭くなり、特に望遠端における像面湾曲の補正が困難となる。また、レンズ素子同士の間隔の誤差に対する性能劣化度合が高くなり、光学系の組み立てが困難となる。
【００７９】
前記条件（２）は、撮像時の広角端から望遠端へのズーミングの際の、第１レンズ群の光軸方向の移動量と、望遠端における全系の焦点距離及び半画角との関係を規定するための条件である。条件（２）の下限を下回ると、第１レンズ群の焦点距離が短くなり、変倍時の収差変動が大きくなって、諸収差の補正が困難となるため、高い変倍比の実現が困難となる。逆に条件（２）の上限を上回ると、変倍時における第１レンズ群の移動量が大きくなり、コンパクトなレンズ鏡筒や撮像装置、カメラを提供することが困難となる。
【００８０】
以下の条件（１）’と、（２）’−１及び（２）’’の少なくとも１つと、を満足することにより、前記効果をさらに奏功させることができる。
３．６＜ＬＧ３／（ｆＴ×ｔａｎ（ωＴ））  ・・・（１）’
４．０＜｜ＭＧ１／（ｆＴ×ｔａｎ（ωＴ））｜  ・・・（２）’−１
｜ＭＧ１／（ｆＴ×ｔａｎ（ωＴ））｜＜１２．０  ・・・（２）’’
【００８１】
また、以下の条件（１）’’と、（２）’−２及び（２）’’の少なくとも１つと、を満足することにより、前記効果をより一層奏功させることができる。
４．０＜ＬＧ３／（ｆＴ×ｔａｎ（ωＴ））  ・・・（１）’’
６．０＜｜ＭＧ１／（ｆＴ×ｔａｎ（ωＴ））｜  ・・・（２）’−２
｜ＭＧ１／（ｆＴ×ｔａｎ（ωＴ））｜＜１２．０  ・・・（２）’’
【００８２】
例えば実施の形態１〜６に係るズームレンズ系のように、基本構成を有し、第２レンズ群が、物体側から像側へと順に、負のパワーを有する第１レンズ素子と負のパワーを有する第２レンズ素子とを有するズームレンズ系では、これら第１レンズ素子及び第２レンズ素子が、以下の条件（３）及び（４）を満足することが有益である。
４．１＜｜Ｒ２ａ／Ｒ２ｂ｜  ・・・（３）
−０．１＜（Ｒ２ｂ−Ｒ２ｃ）／（Ｒ２ｂ＋Ｒ２ｃ）  ・・・（４）
ここで、
Ｒ２ａ：第１レンズ素子の物体側面の曲率半径、
Ｒ２ｂ：第１レンズ素子の像側面の曲率半径、
Ｒ２ｃ：第２レンズ素子の像側面の曲率半径
である。
【００８３】
前記条件（３）は、第２レンズ群内の第１負レンズ素子の物体側面の曲率半径と、該第１負レンズ素子の像側面の曲率半径との関係を規定するための条件である。条件（３）の下限を下回ると、第１負レンズ素子の像側面の曲率半径が大きく、第１負レンズ素子の像側面の曲率が弱くなり、特に望遠端における球面収差の補正が困難となる。
【００８４】
前記条件（４）は、第２レンズ群内の第１負レンズ素子の像側面の曲率半径と、第２レンズ群内の第２負レンズ素子の像側面の曲率半径との関係を規定するための条件である。条件（４）の下限を下回ると、第１負レンズ素子の像側面の曲率半径が、第２負レンズ素子の像側面の曲率半径に比べて小さく、第１負レンズ素子の像側面の曲率が、第２負レンズ素子の像側面の曲率に比べて強くなり、特に望遠端におけるコマ収差の補正が困難となる。
【００８５】
以下の条件（３）’及び（４）’を満足することにより、前記効果をさらに奏功させることができる。
５．０＜｜Ｒ２ａ／Ｒ２ｂ｜  ・・・（３）’
０＜（Ｒ２ｂ−Ｒ２ｃ）／（Ｒ２ｂ＋Ｒ２ｃ）  ・・・（４）’
【００８６】
また、以下の条件（３）’’及び（４）’’を満足することにより、前記効果をより一層奏功させることができる。
６．０＜｜Ｒ２ａ／Ｒ２ｂ｜  ・・・（３）’’
０．１＜（Ｒ２ｂ−Ｒ２ｃ）／（Ｒ２ｂ＋Ｒ２ｃ）  ・・・（４）’’
【００８７】
例えば実施の形態１〜６に係るズームレンズ系のように、基本構成を有するズームレンズ系では、第３レンズ群が少なくとも１枚の正のパワーを有するレンズ素子を有し、以下の条件（５）を満足することが有益である。
Ｎ３ｐ＜１．６４  ・・・（５）
ここで、
Ｎ３ｐ：第３レンズ群を構成する正のパワーを有するレンズ素子の、ｄ線に対する屈折率の平均値
である。
【００８８】
前記条件（５）は、第３レンズ群を構成する正のパワーを有するレンズ素子の、ｄ線に対する屈折率の平均値を規定するための条件である。条件（５）の上限を上回ると、第３レンズ群のパワーが強くなり、特に望遠端における球面収差の補正が困難となる。また、屈折率の高い硝材は比重が高い傾向にあるため、第３レンズ群を構成するレンズ素子の重量が大きくなる。その結果、像のぶれを光学的に補正するためのレンズ群として第３レンズ群を選んだ際に、このレンズ群の駆動機構の構成が肥大化し、コンパクトなレンズ鏡筒や撮像装置、カメラを提供することが困難となる。
【００８９】
以下の条件（５）’を満足することにより、前記効果をさらに奏功させることができる。
Ｎ３ｐ＜１．５９  ・・・（５）’
【００９０】
また、以下の条件（５）’’を満足することにより、前記効果をより一層奏功させることができる。
Ｎ３ｐ＜１．５４  ・・・（５）’’
【００９１】
例えば実施の形態１〜６に係るズームレンズ系のように、基本構成を有するズームレンズ系は、以下の条件（６）を満足することが有益である。
０．６＜｜ＭＧ４／ＭＧ２｜＜８．０  ・・・（６）
ここで、
ＭＧ２：撮像時の広角端から望遠端へのズーミングの際の、第２レンズ群の光軸方向の移動量、
ＭＧ４：撮像時の広角端から望遠端へのズーミングの際の、第４レンズ群の光軸方向の移動量
である。
【００９２】
なお、ＭＧ２は、望遠端における像面から第２レンズ群の最物体側面までの光軸上の距離から、広角端における像面から第２レンズ群の最物体側面までの光軸上の距離を引いた値である。また、ＭＧ４は、望遠端における像面から第４レンズ群の最物体側面までの光軸上の距離から、広角端における像面から第４レンズ群の最物体側面までの光軸上の距離を引いた値である。
【００９３】
前記条件（６）は、撮像時の広角端から望遠端へのズーミングの際の、第２レンズ群の光軸方向の移動量と、第４レンズ群の光軸方向の移動量との比を規定するための条件である。条件（６）の下限を下回ると、ズーミングの際の第４レンズ群の移動量に比べて、第２レンズ群の移動量が大きくなり、特に望遠端における非点収差の補正が困難となる。逆に条件（６）の上限を上回ると、ズーミングの際の第２レンズ群の移動量に比べて、第４レンズ群の移動量が大きくなり、特に望遠端における像面湾曲の補正が困難となる。
【００９４】
以下の条件（６）’−１及び（６）’’の少なくとも１つを満足することにより、前記効果をさらに奏功させることができる。
１．０＜｜ＭＧ４／ＭＧ２｜  ・・・（６）’−１
｜ＭＧ４／ＭＧ２｜＜６．０  ・・・（６）’’
【００９５】
また、以下の条件（６）’−２及び（６）’’の少なくとも１つを満足することにより、前記効果をより一層奏功させることができる。
１．４＜｜ＭＧ４／ＭＧ２｜  ・・・（６）’−２
｜ＭＧ４／ＭＧ２｜＜６．０  ・・・（６）’’
【００９６】
例えば実施の形態１〜６に係るズームレンズ系のように、基本構成を有するズームレンズ系は、以下の条件（７）を満足することが有益である。
０．３＜ｆＧ１／ｆＴ＜０．９  ・・・（７）
ここで、
ｆＧ１：第１レンズ群の焦点距離、
ｆＴ：望遠端における全系の焦点距離
である。
【００９７】
前記条件（７）は、第１レンズ群の焦点距離と、望遠端における全系の焦点距離との関係を規定するための条件である。条件（７）の下限を下回ると、第１レンズ群の焦点距離が短くなり、変倍時の収差変動が大きくなって、諸収差の補正が困難となるため、高いズーム比の実現が困難となる。逆に条件（７）の上限を上回ると、第１レンズ群の焦点距離が長くなり、変倍時における第１レンズ群の移動量が大きくなるため、コンパクトなレンズ鏡筒や撮像装置、カメラを提供することが困難となる。
【００９８】
以下の条件（７）’−１及び（７）’’の少なくとも１つを満足することにより、前記効果をさらに奏功させることができる。
０．４＜ｆＧ１／ｆＴ  ・・・（７）’−１
ｆＧ１／ｆＴ＜０．８  ・・・（７）’’
【００９９】
また、以下の条件（７）’−２及び（７）’’の少なくとも１つを満足することにより、前記効果をより一層奏功させることができる。
０．５＜ｆＧ１／ｆＴ  ・・・（７）’−２
ｆＧ１／ｆＴ＜０．８  ・・・（７）’’
【０１００】
例えば実施の形態１〜６に係るズームレンズ系のように、基本構成を有するズームレンズ系は、以下の条件（８）を満足することが有益である。
１０＜｜（Ｇ４Ｔ−Ｇ４Ｍ）／（Ｇ４Ｍ−Ｇ４Ｗ）｜  ・・・（８）
ここで、
Ｇ４Ｗ：広角端における第４レンズ群の物体側面頂から像面までの距離、
Ｇ４Ｔ：望遠端における第４レンズ群の物体側面頂から像面までの距離、
Ｇ４Ｍ：中間位置における第４レンズ群の物体側面頂から像面までの距離、
中間位置：全系の焦点距離ｆＭが次式で表される位置
ｆＭ＝√（ｆＷ＊ｆＴ）、
ｆＷ：広角端における全系の焦点距離、
ｆＴ：望遠端における全系の焦点距離
である。
【０１０１】
前記条件（８）は、広角端、望遠端及び中間位置各々における、第４レンズ群の物体側面頂から像面までの距離を規定するための条件である。条件（８）の下限を下回ると、望遠端において第４レンズ群と第５レンズ群との間隔が狭くなり、フォーカシングの際に例えば第４レンズ群を移動させる場合、フォーカシングのための空間の確保が困難となる。
【０１０２】
以下の条件（８）’を満足することにより、前記効果をさらに奏功させることができる。
１５＜｜（Ｇ４Ｔ−Ｇ４Ｍ）／（Ｇ４Ｍ−Ｇ４Ｗ）｜  ・・・（８）’
【０１０３】
また、以下の条件（８）’’を満足することにより、前記効果をより一層奏功させることができる。
２０＜｜（Ｇ４Ｔ−Ｇ４Ｍ）／（Ｇ４Ｍ−Ｇ４Ｗ）｜  ・・・（８）’’
【０１０４】
例えば実施の形態１〜６に係るズームレンズ系のように、基本構成を有するズームレンズ系は、以下の条件（９）を満足することが有益である。
｜ＭＧ５／（ｆＴ×ｔａｎ（ωＴ））｜＜１．５  ・・・（９）
ここで、
ＭＧ５：撮像時の広角端から望遠端へのズーミングの際の、第５レンズ群の光軸方向の移動量、
ｆＴ：望遠端における全系の焦点距離、
ωＴ：望遠端における半画角
である。
【０１０５】
なお、ＭＧ５は、望遠端における像面から第５レンズ群の最物体側面までの光軸上の距離から、広角端における像面から第５レンズ群の最物体側面までの光軸上の距離を引いた値である。
【０１０６】
前記条件（９）は、撮像時の広角端から望遠端へのズーミングの際の、第５レンズ群の光軸方向の移動量と、望遠端における全系の焦点距離及び半画角との関係を規定するための条件である。条件（９）の上限を上回ると、像面を補正する役割を担う第５レンズ群の移動量が大きくなり、広角端から望遠端まで一様に像面を補正することが困難となる。
【０１０７】
以下の条件（９）’−１及び（９）’’−１の少なくとも１つを満足することにより、前記効果をさらに奏功させることができる。
０．２＜｜ＭＧ５／（ｆＴ×ｔａｎ（ωＴ））｜  ・・・（９）’−１
｜ＭＧ５／（ｆＴ×ｔａｎ（ωＴ））｜＜１．４  ・・・（９）’’−１
【０１０８】
また、以下の条件（９）’−２及び（９）’’−２の少なくとも１つを満足することにより、前記効果をより一層奏功させることができる。
０．４＜｜ＭＧ５／（ｆＴ×ｔａｎ（ωＴ））｜  ・・・（９）’−２
｜ＭＧ５／（ｆＴ×ｔａｎ（ωＴ））｜＜１．３  ・・・（９）’’−２
【０１０９】
実施の形態１〜６に係るズームレンズ系を構成している各レンズ群は、入射光線を屈折により偏向させる屈折型レンズ素子（すなわち、異なる屈折率を有する媒質同士の界面で偏向が行われるタイプのレンズ素子）のみで構成されているが、これに限定されるものではない。例えば、回折により入射光線を偏向させる回折型レンズ素子、回折作用と屈折作用との組み合わせで入射光線を偏向させる屈折・回折ハイブリッド型レンズ素子、入射光線を媒質内の屈折率分布により偏向させる屈折率分布型レンズ素子等で、各レンズ群を構成してもよい。特に、屈折・回折ハイブリッド型レンズ素子において、屈折率の異なる媒質の界面に回折構造を形成すると、回折効率の波長依存性が改善されるので、有益である。
【０１１０】
（実施の形態７）
図１９は、実施の形態７に係るデジタルスチルカメラの概略構成図である。図１９において、デジタルスチルカメラは、ズームレンズ系１とＣＣＤである撮像素子２とを含む撮像装置と、液晶モニタ３と、筐体４とから構成される。ズームレンズ系１として、実施の形態１に係るズームレンズ系が用いられている。図１９において、ズームレンズ系１は、第１レンズ群Ｇ１と、第２レンズ群Ｇ２と、開口絞りＡと、第３レンズ群Ｇ３と、第４レンズ群Ｇ４と、第５レンズ群Ｇ５と、第６レンズ群Ｇ６とから構成されている。筐体４は、前側にズームレンズ系１が配置され、ズームレンズ系１の後側には、撮像素子２が配置されている。筐体４の後側に液晶モニタ３が配置され、ズームレンズ系１による被写体の光学的な像が像面Ｓに形成される。
【０１１１】
鏡筒は、主鏡筒５と、移動鏡筒６と、円筒カム７とで構成されている。円筒カム７を回転させると、第１レンズ群Ｇ１、第２レンズ群Ｇ２、開口絞りＡ及び第３レンズ群Ｇ３、第４レンズ群Ｇ４、第５レンズ群Ｇ５、第６レンズ群Ｇ６が撮像素子２を基準にした所定の位置に移動し、広角端から望遠端までのズーミングを行うことができる。第４レンズ群Ｇ４はフォーカス調整用モータにより光軸方向に移動可能である。
【０１１２】
こうして、デジタルスチルカメラに実施の形態１に係るズームレンズ系を用いることにより、解像度及び像面湾曲を補正する能力が高く、非使用時のレンズ全長が短い小型のデジタルスチルカメラを提供することができる。なお、図１９に示したデジタルスチルカメラには、実施の形態１に係るズームレンズ系の替わりに実施の形態２〜６に係るズームレンズ系のいずれかを用いてもよい。また、図１９に示したデジタルスチルカメラの光学系は、動画像を対象とするデジタルビデオカメラに用いることもできる。この場合、静止画像だけでなく、解像度の高い動画像を撮影することができる。
【０１１３】
なお、本実施の形態７に係るデジタルスチルカメラでは、ズームレンズ系１として実施の形態１〜６に係るズームレンズ系を示したが、これらのズームレンズ系は、全てのズーミング域を使用しなくてもよい。すなわち、所望のズーミング域に応じて、光学性能が確保されている範囲を切り出し、実施の形態１〜６で説明したズームレンズ系よりも低倍率のズームレンズ系として使用してもよい。
【０１１４】
さらに、実施の形態７では、いわゆる沈胴構成の鏡筒にズームレンズ系を適用した例を示したが、これに限られない。例えば、第１レンズ群Ｇ１内等の任意の位置に、内部反射面を持つプリズムや、表面反射ミラーを配置し、いわゆる屈曲構成の鏡筒にズームレンズ系を適用してもよい。
【０１１５】
また、以上説明した実施の形態１〜６に係るズームレンズ系と、ＣＣＤやＣＭＯＳ等の撮像素子とから構成される撮像装置を、スマートフォン等の携帯情報端末のカメラ、監視システムにおける監視カメラ、Ｗｅｂカメラ、車載カメラ等に適用することもできる。
【０１１６】
以上のように、本出願において開示する技術の例示として、実施の形態７を説明した。しかしながら、本開示における技術は、これに限定されず、適宜、変更、置き換え、付加、省略などを行った実施の形態にも適用可能である。
【０１１７】
以下、実施の形態１〜６に係るズームレンズ系を具体的に実施した数値実施例を説明する。なお、各数値実施例において、表中の長さの単位はすべて「ｍｍ」であり、画角の単位はすべて「°」である。また、各数値実施例において、ｒは曲率半径、ｄは面間隔、ｎｄはｄ線に対する屈折率、ｖｄはｄ線に対するアッベ数である。また、各数値実施例において、＊印を付した面は非球面であり、非球面形状は次式で定義している。
【数１】
2013114515.tif 000003
ここで、
Ｚ：光軸からの高さがｈの非球面上の点から、非球面頂点の接平面までの距離、
ｈ：光軸からの高さ、
ｒ：頂点曲率半径、
κ：円錐定数、
Ａｎ：ｎ次の非球面係数
である。
【０１１８】
図２、５、８、１１、１４及び１７は、各々数値実施例１〜６に係るズームレンズ系の無限遠合焦状態の縦収差図である。
【０１１９】
各縦収差図において、（ａ）図は広角端、（ｂ）図は中間位置、（ｃ）図は望遠端における各収差を表す。各縦収差図は、左側から順に、球面収差（ＳＡ（ｍｍ））、非点収差（ＡＳＴ（ｍｍ））、歪曲収差（ＤＩＳ（％））を示す。球面収差図において、縦軸はＦナンバー（図中、Ｆで示す）を表し、実線はｄ線（ｄ−ｌｉｎｅ）、短破線はＦ線（Ｆ−ｌｉｎｅ）、長破線はＣ線（Ｃ−ｌｉｎｅ）の特性である。非点収差図において、縦軸は像高（図中、Ｈで示す）を表し、実線はサジタル平面（図中、ｓで示す）、破線はメリディオナル平面（図中、ｍで示す）の特性である。歪曲収差図において、縦軸は像高（図中、Ｈで示す）を表す。
【０１２０】
図３、６、９、１２、１５及び１８は、各々数値実施例１〜６に係るズームレンズ系の望遠端における横収差図である。
【０１２１】
各横収差図において、上段３つの収差図は、望遠端における像ぶれ補正を行っていない基本状態、下段３つの収差図は、像ぶれ補正レンズ群を光軸と垂直な方向に所定量移動させた望遠端における像ぶれ補正状態に、それぞれ対応する。基本状態の各横収差図のうち、上段は最大像高の７０％の像点における横収差、中段は軸上像点における横収差、下段は最大像高の−７０％の像点における横収差に、それぞれ対応する。像ぶれ補正状態の各横収差図のうち、上段は最大像高の７０％の像点における横収差、中段は軸上像点における横収差、下段は最大像高の−７０％の像点における横収差に、それぞれ対応する。また各横収差図において、横軸は瞳面上での主光線からの距離を表し、実線はｄ線（ｄ−ｌｉｎｅ）、短破線はＦ線（Ｆ−ｌｉｎｅ）、長破線はＣ線（Ｃ−ｌｉｎｅ）の特性である。なお各横収差図において、メリディオナル平面を、第１レンズ群Ｇ１の光軸と第３レンズ群Ｇ３の光軸とを含む平面としている。
【０１２２】
なお、各数値実施例のズームレンズ系について、望遠端における、像ぶれ補正状態での像ぶれ補正レンズ群の光軸と垂直な方向への移動量は、以下に示すとおりである。
数値実施例１  ０．４３１ｍｍ
数値実施例２  ０．５１７ｍｍ
数値実施例３  ０．２２３ｍｍ
数値実施例４  ０．２８７ｍｍ
数値実施例５  ０．２２８ｍｍ
数値実施例６  ０．５１１ｍｍ
【０１２３】
数値実施例１、２及び６について、撮影距離が∞で望遠端において、ズームレンズ系が０．６°だけ傾いた場合の像偏心量は、像ぶれ補正レンズ群が光軸と垂直な方向に上記の各値だけ平行移動するときの像偏心量に等しい。
【０１２４】
数値実施例３〜５について、撮影距離が∞で望遠端において、ズームレンズ系が０．３°だけ傾いた場合の像偏心量は、像ぶれ補正レンズ群が光軸と垂直な方向に上記の各値だけ平行移動するときの像偏心量に等しい。
【０１２５】
各横収差図から明らかなように、軸上像点における横収差の対称性は良好であることがわかる。また、＋７０％像点における横収差と−７０％像点における横収差とを基本状態で比較すると、いずれも湾曲度が小さく、収差曲線の傾斜がほぼ等しいことから、偏心コマ収差、偏心非点収差が小さいことがわかる。このことは、像ぶれ補正状態であっても充分な結像性能が得られていることを意味している。また、ズームレンズ系の像ぶれ補正角が同じ場合には、ズームレンズ系全体の焦点距離が短くなるにつれて、像ぶれ補正に必要な平行移動量が減少する。したがって、いずれのズーム位置であっても、０．３°乃至０．６°までの像ぶれ補正角に対して、結像特性を低下させることなく充分な像ぶれ補正を行うことが可能である。
【０１２６】
（数値実施例１）
数値実施例１のズームレンズ系は、図１に示した実施の形態１に対応する。数値実施例１のズームレンズ系の面データを表１に、非球面データを表２に、各種データを表３に示す。
【０１２７】
表  １（面データ）
面番号         r           d           nd         vd     
物面             ∞                                    
1         77.26180     1.25000     1.90366    31.3    
2         43.58840     4.99930     1.49700    81.6    
3       3475.28240     0.15000                        
4         48.53490     4.40900     1.59282    68.6    
5       1255.14270        可変                        
6*      -173.72890     0.50000     1.88202    37.2    
7*        20.55860     3.88600                        
8        -30.69750     0.55000     1.80420    46.5    
9         12.74650     4.92640     1.92286    20.9    
10        -85.79200     0.95080                        
11        -22.33630     0.55000     1.80420    46.5    
12        221.20270        可変                        
13(絞り)           ∞     1.00000                        
14*        12.71340     2.88440     1.51760    63.5    
15*       176.37160     5.77000                        
16         16.59210     3.09530     1.43700    95.1    
17        -22.69720     0.50000     1.69895    30.0    
18         16.81620     4.28870                        
19*        12.47270     4.11140     1.52996    55.8    
20*       -27.25680        可変                        
21         76.43180     1.29130     1.43700    95.1    
22         19.70840        可変                        
23*        18.51920     2.00000     1.52996    55.8    
24*       -27.35030        可変                        
25*        93.41950     1.63940     1.88202    37.2    
26*        14.45290        (BF)                        
像面             ∞                                    
【０１２８】
表  ２（非球面データ）
第6面
K= 0.00000E+00, A4= 7.03907E-06, A6= 1.73538E-06, A8=-1.58316E-08 
A10= 6.92314E-11, A12=-1.41360E-13, A14= 0.00000E+00 
第7面
K= 0.00000E+00, A4= 9.20742E-06, A6= 1.99757E-06, A8=-9.25527E-09 
A10= 1.55543E-10, A12=-2.76001E-13, A14= 0.00000E+00 
第14面
K= 0.00000E+00, A4=-2.21991E-05, A6=-1.60020E-06, A8= 1.24976E-07 
A10=-3.39866E-09, A12= 4.20857E-11, A14=-1.53813E-16 
第15面
K= 0.00000E+00, A4= 3.22722E-05, A6=-2.82561E-06, A8= 2.20595E-07 
A10=-6.12270E-09, A12= 7.24126E-11, A14=-5.87135E-16 
第19面
K= 0.00000E+00, A4=-8.89475E-05, A6=-7.28424E-07, A8= 2.18418E-08 
A10=-2.17787E-10, A12= 0.00000E+00, A14= 0.00000E+00 
第20面
K= 0.00000E+00, A4= 6.08125E-05, A6=-6.28035E-07, A8= 2.23874E-08 
A10=-2.14290E-10, A12= 0.00000E+00, A14= 0.00000E+00 
第23面
K= 0.00000E+00, A4=-2.52665E-04, A6= 1.92989E-07, A8= 1.49693E-07 
A10=-4.63114E-11, A12= 0.00000E+00, A14= 0.00000E+00 
第24面
K= 0.00000E+00, A4=-1.64660E-04, A6= 2.05481E-06, A8= 2.33718E-07 
A10=-2.08344E-09, A12= 0.00000E+00, A14= 0.00000E+00 
第25面
K= 0.00000E+00, A4=-8.10377E-05, A6=-8.05120E-06, A8=-1.79624E-07 
A10= 9.89689E-09, A12= 0.00000E+00, A14= 0.00000E+00 
第26面
K= 0.00000E+00, A4=-1.47993E-04, A6=-2.02818E-05, A8=-3.76149E-07 
A10= 2.19605E-08, A12= 0.00000E+00, A14= 0.00000E+00 
【０１２９】
表  ３（各種データ）
ズーム比    23.27974
広角      中間      望遠
焦点距離       4.6411   22.3922  108.0443
Ｆナンバー     2.85063   2.85099   2.85105
画角        41.2210   10.3348    2.0558
像高         3.3930    3.8920    3.8920
レンズ全長     91.8431  105.7605  128.8431
ＢＦ         2.7714    2.7941    2.8211
d5           0.6000   25.4000   48.1056 
d12         34.7765    9.7102    1.7014 
d20          2.2814    8.0955    1.2501 
d22          2.1794   12.3619   28.2340 
d24          3.2538    1.4409    0.8000 
ズームレンズ群データ
群    始面      焦点距離
1       1      72.10667
2       6      -9.08906
3      13      19.22679
4      21     -61.19245
5      23      21.15566
6      25     -19.57561
【０１３０】
（数値実施例２）
数値実施例２のズームレンズ系は、図４に示した実施の形態２に対応する。数値実施例２のズームレンズ系の面データを表４に、非球面データを表５に、各種データを表６に示す。
【０１３１】
表  ４（面データ）
面番号         r           d           nd         vd     
物面             ∞                                    
1         83.96140     1.25000     1.90366    31.3    
2         46.47590     4.99690     1.49700    81.6    
3       -709.80670     0.15000                        
4         46.04520     4.17910     1.59282    68.6    
5        306.35190        可変                        
6*      -263.78830     0.50000     1.88202    37.2    
7*        15.39430     3.66430                        
8        -89.30300     0.55000     1.80420    46.5    
9         11.00000     5.00000     1.92286    20.9    
10        -61.97480     2.38630                        
11        -12.97010     0.55000     1.80420    46.5    
12        -84.04030        可変                        
13(絞り)           ∞     1.00000                        
14*        13.16370     2.83280     1.61035    57.9    
15*       203.78650     3.48480                        
16         21.92920     2.08820     1.43700    95.1    
17        -40.98430     0.50000     1.75520    27.5    
18         15.05090     2.80730                        
19*        14.63730     4.28680     1.52500    70.3    
20*       -18.33730        可変                        
21         53.49830     0.70000     1.80000    29.8    
22         20.74610        可変                        
23*        20.59310     2.00000     1.63550    23.9    
24*       -48.84340        可変                        
25         11.71490     0.60000     1.70154    41.1    
26          8.39090        (BF)                        
像面             ∞                                    
【０１３２】
表  ５（非球面データ）
第6面
K= 0.00000E+00, A4= 7.63579E-05, A6=-8.20832E-07, A8= 7.29428E-09 
A10=-3.63091E-11, A12= 7.05692E-14, A14= 0.00000E+00 
第7面
K= 0.00000E+00, A4= 5.04440E-05, A6=-6.29251E-07, A8= 1.69006E-09 
A10= 7.65749E-11, A12=-1.04523E-12, A14= 0.00000E+00 
第14面
K= 0.00000E+00, A4= 1.46776E-05, A6=-1.58781E-06, A8= 1.32090E-07 
A10=-3.40616E-09, A12= 4.17207E-11, A14= 4.05294E-17 
第15面
K= 0.00000E+00, A4= 8.53831E-05, A6=-2.49793E-06, A8= 2.08242E-07 
A10=-5.68134E-09, A12= 7.03937E-11, A14=-5.87133E-16 
第19面
K= 0.00000E+00, A4=-8.45850E-05, A6= 7.53780E-08, A8=-4.09606E-09 
A10= 3.61828E-11, A12= 0.00000E+00, A14= 0.00000E+00 
第20面
K= 0.00000E+00, A4= 3.89614E-05, A6= 1.38892E-07, A8=-4.90556E-09 
A10= 4.79332E-11, A12= 0.00000E+00, A14= 0.00000E+00 
第23面
K= 0.00000E+00, A4= 3.07337E-05, A6=-3.04031E-06, A8= 1.30493E-07 
A10=-1.18745E-09, A12= 0.00000E+00, A14= 0.00000E+00 
第24面
K= 0.00000E+00, A4= 9.23579E-05, A6=-4.21265E-06, A8= 1.85834E-07 
A10=-1.99753E-09, A12= 0.00000E+00, A14= 0.00000E+00 
【０１３３】
表  ６（各種データ）
ズーム比    23.27799
広角      中間      望遠
焦点距離       4.6406   22.3890  108.0242
Ｆナンバー     2.85062   2.85017   2.85035
画角        41.7241   10.8092    2.0067
像高         3.3930    3.8917    3.8920
レンズ全長     85.5628  101.0141  127.5627
ＢＦ         4.0041    3.9749    4.0043
d5           0.6000   25.4000   49.5829 
d12         31.5541    7.3942    1.6034 
d20          1.2500   15.4447    9.0177 
d22          2.6655    3.9412   19.8358 
d24          5.9667    5.3075    3.9964 
ズームレンズ群データ
群    始面      焦点距離
1       1      73.39099
2       6      -8.69400
3      13      17.82752
4      21     -42.76525
5      23      23.05219
6      25     -45.54273
【０１３４】
（数値実施例３）
数値実施例３のズームレンズ系は、図７に示した実施の形態３に対応する。数値実施例３のズームレンズ系の面データを表７に、非球面データを表８に、各種データを表９に示す。
【０１３５】
表  ７（面データ）
面番号         r           d           nd         vd     
物面             ∞                                    
1        124.45980     1.25000     1.90366    31.3    
2         57.01060     4.98570     1.49700    81.6    
3       2762.40130     0.15000                        
4         59.57740     4.17970     1.59282    68.6    
5       1143.79190     0.15000                        
6         56.24580     2.32830     1.49700    81.6    
7        120.74790        可変                        
8*        51.26110     0.50000     1.88202    37.2    
9*        12.21230     4.92590                        
10        -22.32630     0.55000     1.80420    46.5    
11         14.25070     3.24550     1.92286    20.9    
12        -47.60180     1.61580                        
13        -14.49640     0.55000     1.80420    46.5    
14        -40.59450        可変                        
15(絞り)           ∞     1.07740                        
16*        12.85200     2.85900     1.51760    63.5    
17*       227.47230     6.73230                        
18         14.04740     3.00910     1.49700    81.6    
19        -40.95780     0.50000     1.69895    30.0    
20         13.24750     3.59360                        
21*        11.17310     3.86220     1.52996    55.8    
22*       -44.69580        可変                        
23         80.51560     2.13330     1.69384    53.1    
24         22.35780        可変                        
25*        30.56000     1.66000     1.61035    57.9    
26*       -60.47800     0.50100                        
27         15.90920     2.76060     1.80518    25.5    
28         12.45570        (BF)                        
像面             ∞                                    
【０１３６】
表  ８（非球面データ）
第8面
K= 0.00000E+00, A4=-2.15652E-05, A6= 1.69349E-06, A8=-1.94115E-08 
A10= 8.49738E-11, A12=-9.61072E-14, A14= 0.00000E+00 
第9面
K= 0.00000E+00, A4=-2.49121E-05, A6= 1.27123E-06, A8= 1.41551E-08 
A10=-2.61562E-10, A12= 4.49913E-13, A14= 0.00000E+00 
第16面
K= 0.00000E+00, A4=-3.04137E-05, A6=-1.68911E-06, A8= 1.20172E-07 
A10=-3.34117E-09, A12= 4.21124E-11, A14= 7.45635E-16 
第17面
K= 0.00000E+00, A4= 2.14583E-05, A6=-3.08631E-06, A8= 2.21305E-07 
A10=-6.10459E-09, A12= 7.23383E-11, A14=-7.26924E-15 
第21面
K= 0.00000E+00, A4=-1.02865E-04, A6=-1.00237E-06, A8= 1.89860E-08 
A10=-2.96477E-10, A12= 0.00000E+00, A14= 0.00000E+00 
第22面
K= 0.00000E+00, A4= 6.32235E-05, A6=-6.67878E-07, A8= 1.56517E-08 
A10=-2.38086E-10, A12= 0.00000E+00, A14= 0.00000E+00 
第25面
K= 0.00000E+00, A4=-5.30369E-04, A6= 1.28246E-06, A8=-1.65118E-08 
A10= 1.25837E-09, A12= 0.00000E+00, A14= 0.00000E+00 
第26面
K= 0.00000E+00, A4=-5.81172E-04, A6= 3.79435E-06, A8= 1.50369E-08 
A10= 3.61571E-10, A12= 0.00000E+00, A14= 0.00000E+00 
【０１３７】
表  ９（各種データ）
ズーム比    23.30577
広角      中間      望遠
焦点距離       4.5799   22.1224  106.7388
Ｆナンバー     2.85077   2.85037   2.85014
画角        40.6642    9.9776    1.9641
像高         3.3930    3.8920    3.8920
レンズ全長     92.8788  107.9142  129.8019
ＢＦ         3.6236    3.6332    3.5781
d7           0.6000   25.3493   48.0279 
d14         34.0543    9.4275    1.5344 
d22          1.9978    5.3632    1.2632 
d24          3.1073   14.6548   25.8570 
ズームレンズ群データ
群    始面      焦点距離
1       1      71.12830
2       8      -8.64638
3      15      18.40932
4      23     -45.29138
5      25      41.49418
【０１３８】
（数値実施例４）
数値実施例４のズームレンズ系は、図１０に示した実施の形態４に対応する。数値実施例４のズームレンズ系の面データを表１０に、非球面データを表１１に、各種データを表１２に示す。
【０１３９】
表  １０（面データ）
面番号         r           d           nd         vd     
物面             ∞                                    
1         92.75920     1.25000     1.90366    31.3    
2         49.80050     5.00000     1.49700    81.6    
3       -562.50160     0.15000                        
4         45.96440     4.16140     1.59282    68.6    
5        244.72290        可変                        
6*      -200.89350     0.50000     1.84973    40.6    
7*        29.28690     3.44440                        
8        -30.43030     0.55000     1.80420    46.5    
9         14.83270     1.02260                        
10         17.72110     3.06220     2.00171    20.7    
11        -68.91810     0.56950                        
12        -32.12080     0.55000     1.80420    46.5    
13         39.88410        可変                        
14(絞り)           ∞     1.00000                        
15*        19.84410     2.42830     1.52500    70.4    
16*       -37.86360     5.09380                        
17        201.22880     2.95500     1.43700    95.1    
18        -11.24150     0.50000     1.80518    25.5    
19        -15.90840     0.30000                        
20        -82.66520     0.50000     1.69320    33.7    
21         23.32440     0.60000                        
22*        17.37980     4.96580     1.52500    70.4    
23*       -20.09370        可変                        
24       1000.55010     0.40000     1.49700    81.6    
25         14.57800        可変                        
26*        41.35120     1.65160     1.84973    40.6    
27*       -28.97700        可変                        
28         19.93230     2.29380     1.85135    40.1    
29         12.19080        (BF)                        
像面             ∞                                    
【０１４０】
表  １１（非球面データ）
第6面
K= 0.00000E+00, A4=-3.62599E-05, A6= 2.13649E-06, A8=-2.07363E-08 
A10= 1.26497E-10, A12=-2.93497E-13, A14= 0.00000E+00 
第7面
K= 0.00000E+00, A4=-5.97899E-05, A6= 1.45668E-06, A8= 1.33947E-08 
A10=-3.72182E-10, A12= 3.08502E-12, A14= 0.00000E+00 
第15面
K= 0.00000E+00, A4=-6.92258E-06, A6=-3.69585E-06, A8= 1.97004E-07 
A10=-5.72682E-09, A12= 6.87423E-11, A14=-3.22728E-16 
第16面
K= 0.00000E+00, A4= 5.40466E-05, A6=-3.54952E-06, A8= 1.84169E-07 
A10=-5.46057E-09, A12= 6.63289E-11, A14=-3.59594E-16 
第22面
K= 0.00000E+00, A4=-7.56769E-05, A6=-8.10168E-07, A8= 4.88590E-09 
A10=-2.94581E-10, A12= 0.00000E+00, A14= 0.00000E+00 
第23面
K= 0.00000E+00, A4=-1.39708E-05, A6=-5.53748E-07, A8=-1.59134E-10 
A10=-2.03175E-10, A12= 0.00000E+00, A14= 0.00000E+00 
第26面
K= 0.00000E+00, A4= 6.38132E-05, A6=-9.97756E-06, A8= 3.83966E-07 
A10=-3.38587E-09, A12= 0.00000E+00, A14= 0.00000E+00 
第27面
K= 0.00000E+00, A4= 1.50576E-04, A6=-1.14359E-05, A8= 4.37691E-07 
A10=-4.02267E-09, A12= 0.00000E+00, A14= 0.00000E+00 
【０１４１】
表  １２（各種データ）
ズーム比    23.21500
広角      中間      望遠
焦点距離       4.6406   22.3285  107.7322
Ｆナンバー     2.85011   2.85047   2.85021
画角        41.3503   11.6157    1.9900
像高         3.3930    3.8920    3.8920
レンズ全長     89.4884   92.6047  122.3765
ＢＦ         3.3502    3.3171    3.3154
d5           0.6000   22.5341   52.6386 
d13         37.4487    6.1094    2.2640 
d23          1.2651   13.4940    4.8143 
d25          2.9183    4.1526   18.9112 
d27          4.3079    3.3662    0.8000 
ズームレンズ群データ
群    始面      焦点距離
1       1      77.24939
2       6     -10.48009
3      14      16.79812
4      24     -29.76985
5      26      20.26944
6      28     -42.68462
【０１４２】
（数値実施例５）
数値実施例５のズームレンズ系は、図１３に示した実施の形態５に対応する。数値実施例５のズームレンズ系の面データを表１３に、非球面データを表１４に、各種データを表１５に示す。
【０１４３】
表  １３（面データ）
面番号         r           d           nd         vd     
物面             ∞                                    
1         79.99790     1.25000     1.90366    31.3    
2         44.45100     5.00000     1.49700    81.6    
3      -2961.73330     0.15000                        
4         48.37520     4.38830     1.59282    68.6    
5        977.07150        可変                        
6*      -142.90770     0.50000     1.88202    37.2    
7*        21.72240     4.03380                        
8        -31.34780     0.55000     1.80420    46.5    
9         12.65040     5.00000     1.92286    20.9    
10        -88.87860     0.96330                        
11        -21.85110     0.55000     1.80420    46.5    
12        164.29950        可変                        
13(絞り)           ∞     1.00000                        
14*        13.05890     2.81550     1.51760    63.5    
15*       165.96890     4.10030                        
16         20.46970     3.10000     1.43700    95.1    
17        -19.38200     0.50000     1.69895    30.0    
18         21.16650     3.54760                        
19*        13.11100     3.93670     1.52996    55.8    
20*       -24.15390        可変                        
21         56.36440     0.44540     1.43700    95.1    
22         19.05840        可変                        
23*        25.15790     2.00000     1.69384    53.1    
24*       -29.61790        可変                        
25*        25.86320     0.60000     1.63550    23.9    
26*         9.34160        (BF)                        
像面             ∞                                    
【０１４４】
表  １４（非球面データ）
第6面
K= 0.00000E+00, A4= 2.91294E-05, A6= 1.35644E-06, A8=-1.27422E-08 
A10= 5.43760E-11, A12=-1.09375E-13, A14= 0.00000E+00 
第7面
K= 0.00000E+00, A4= 3.07597E-05, A6= 1.54032E-06, A8=-3.12503E-09 
A10= 8.97954E-11, A12=-2.50830E-13, A14= 0.00000E+00 
第14面
K= 0.00000E+00, A4= 3.60684E-06, A6=-1.69684E-06, A8= 1.21445E-07 
A10=-3.33576E-09, A12= 4.20857E-11, A14=-1.53813E-16 
第15面
K= 0.00000E+00, A4= 4.81157E-05, A6=-3.00612E-06, A8= 2.16050E-07 
A10=-6.05916E-09, A12= 7.24126E-11, A14=-5.87135E-16 
第19面
K= 0.00000E+00, A4=-7.95455E-05, A6=-6.59699E-07, A8= 2.32215E-08 
A10=-2.28186E-10, A12= 0.00000E+00, A14= 0.00000E+00 
第20面
K= 0.00000E+00, A4= 7.96778E-05, A6=-6.42253E-07, A8= 2.50708E-08 
A10=-2.38401E-10, A12= 0.00000E+00, A14= 0.00000E+00 
第23面
K= 0.00000E+00, A4=-3.17605E-04, A6= 1.25084E-06, A8=-7.26996E-08 
A10= 4.65159E-09, A12= 0.00000E+00, A14= 0.00000E+00 
第24面
K= 0.00000E+00, A4=-2.05015E-04, A6= 2.38725E-06, A8=-2.02005E-08 
A10= 4.17779E-09, A12= 0.00000E+00, A14= 0.00000E+00 
第25面
K= 0.00000E+00, A4=-1.57596E-04, A6=-3.16768E-05, A8= 1.32944E-06 
A10=-2.13742E-08, A12= 0.00000E+00, A14= 0.00000E+00 
第26面
K= 0.00000E+00, A4=-4.79859E-04, A6=-1.55977E-05, A8=-1.80516E-07 
A10= 1.97355E-09, A12= 0.00000E+00, A14= 0.00000E+00 
【０１４５】
表  １５（各種データ）
ズーム比    23.27906
広角      中間      望遠
焦点距離       4.6407   22.3901  108.0301
Ｆナンバー     2.85066   2.85030   2.89876
画角        41.1157   10.1627    2.0238
像高         3.3931    3.8920    3.8920
レンズ全長     90.4992  103.5042  127.4992
ＢＦ         2.7903    2.7693    2.7693
d5           0.6000   25.4000   48.0961 
d12         34.0590    9.1603    1.7400 
d20          2.0773    9.1744    1.2545 
d22          6.3461   13.6567   31.1541 
d24          2.9859    1.6819    0.8236 
ズームレンズ群データ
群    始面      焦点距離
1       1      72.06655
2       6      -8.95876
3      13      17.95109
4      21     -66.13173
5      23      19.90325
6      25     -23.34038
【０１４６】
（数値実施例６）
数値実施例６のズームレンズ系は、図１６に示した実施の形態６に対応する。数値実施例６のズームレンズ系の面データを表１６に、非球面データを表１７に、各種データを表１８に示す。
【０１４７】
表  １６（面データ）
面番号         r           d           nd         vd     
物面             ∞                                    
1         92.29080     1.25000     1.90366    31.3    
2         48.22440     5.45730     1.49700    81.6    
3       -287.11830     0.15000                        
4         43.18150     4.33750     1.59282    68.6    
5        219.91930        可変                        
6*      -125.38600     0.50000     1.88202    37.2    
7*        17.01030     3.69790                        
8        -50.22220     0.55000     1.80420    46.5    
9         11.00000     6.54870     1.92286    20.9    
10        -39.00980     1.65180                        
11        -13.34240     0.55000     1.80610    40.7    
12       -276.37120        可変                        
13(絞り)           ∞     1.09990                        
14*        13.49020     2.74890     1.61035    57.9    
15*       492.32460     3.06590                        
16         21.73680     2.58890     1.43700    95.1    
17        -39.63730     0.50000     1.75520    27.5    
18         14.43810     3.22430                        
19*        14.26550     4.84180     1.52500    70.3    
20*       -18.52090        可変                        
21         75.64570     0.70000     1.80610    33.3    
22         23.87520        可変                        
23*        20.44610     1.99990     1.63550    23.9    
24*       -44.12100        可変                        
25         10.93080     0.59990     1.92286    20.9    
26          8.35650        (BF)                        
像面             ∞                                    
【０１４８】
表  １７（非球面データ）
第6面
K= 0.00000E+00, A4= 8.46888E-05, A6=-7.28555E-07, A8= 6.80042E-09 
A10=-4.10607E-11, A12= 1.00053E-13, A14= 0.00000E+00 
第7面
K= 0.00000E+00, A4= 6.03673E-05, A6=-6.98515E-07, A8= 9.80781E-09 
A10=-2.21444E-11, A12=-7.65499E-13, A14= 0.00000E+00 
第14面
K= 0.00000E+00, A4= 3.05752E-06, A6=-1.74126E-06, A8= 1.29713E-07 
A10=-3.63149E-09, A12= 4.28365E-11, A14=-4.48940E-15 
第15面
K= 0.00000E+00, A4= 6.23523E-05, A6=-2.67648E-06, A8= 1.98861E-07 
A10=-5.61538E-09, A12= 6.50709E-11, A14=-6.66716E-16 
第19面
K= 0.00000E+00, A4=-8.76283E-05, A6= 6.46989E-08, A8=-4.02665E-09 
A10= 3.16161E-11, A12= 0.00000E+00, A14= 0.00000E+00 
第20面
K= 0.00000E+00, A4= 3.79040E-05, A6= 1.41149E-07, A8=-4.39865E-09 
A10= 3.81191E-11, A12= 0.00000E+00, A14= 0.00000E+00 
第23面
K= 0.00000E+00, A4= 3.52237E-06, A6=-4.03440E-06, A8= 1.30838E-07 
A10=-7.09177E-10, A12= 0.00000E+00, A14= 0.00000E+00 
第24面
K= 0.00000E+00, A4= 6.77811E-05, A6=-5.11314E-06, A8= 1.83867E-07 
A10=-1.38931E-09, A12= 0.00000E+00, A14= 0.00000E+00 
【０１４９】
表  １８（各種データ）
ズーム比    23.27909
広角      中間      望遠
焦点距離       4.6404   22.3921  108.0241
Ｆナンバー     2.85014   2.85022   2.84965
画角        41.5379   10.5396    1.9768
像高         3.3930    3.8920    3.8920
レンズ全長     88.0377  103.5976  129.3882
ＢＦ         4.0425    4.0289    4.0363
d5           0.6000   25.4000   47.2715 
d12         31.1428    7.4736    1.5000 
d20          1.2500   15.0424    8.7388 
d22          3.4037    4.7316   22.2940 
d24          5.5785    4.8873    3.5212 
ズームレンズ群データ
群    始面      焦点距離
1       1      70.68901
2       6      -8.51184
3      13      18.15092
4      21     -43.54006
5      23      22.25295
6      25     -43.29039
【０１５０】
以下の表１９に、各数値実施例のズームレンズ系における各条件の対応値を示す。
【０１５１】
表  １９（条件の対応値）
【表１】
2013114515.tif 000004
【０１５２】
以上のように、本開示における技術の例示として、実施の形態を説明した。そのために、添付図面および詳細な説明を提供した。
【０１５３】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１５４】
また、上述の実施の形態は、本開示における技術を例示するためのものであるから、特許請求の範囲またはその均等の範囲において種々の変更、置き換え、付加、省略などを行うことができる。
【産業上の利用可能性】
【０１５５】
本開示は、例えばデジタルカメラ、スマートフォン等の携帯情報端末のカメラ、監視システムにおける監視カメラ、Ｗｅｂカメラ、車載カメラ等のデジタル入力装置に適用可能である。特に本開示は、デジタルカメラ等の高画質が要求される撮影光学系に好適である。
【符号の説明】
【０１５６】
Ｇ１    第１レンズ群
Ｇ２    第２レンズ群
Ｇ３    第３レンズ群
Ｇ４    第４レンズ群
Ｇ５    第５レンズ群
Ｇ６    第６レンズ群
Ｌ１    第１レンズ素子
Ｌ２    第２レンズ素子
Ｌ３    第３レンズ素子
Ｌ４    第４レンズ素子
Ｌ５    第５レンズ素子
Ｌ６    第６レンズ素子
Ｌ７    第７レンズ素子
Ｌ８    第８レンズ素子
Ｌ９    第９レンズ素子
Ｌ１０  第１０レンズ素子
Ｌ１１  第１１レンズ素子
Ｌ１２  第１２レンズ素子
Ｌ１３  第１３レンズ素子
Ｌ１４  第１４レンズ素子
Ｌ１５  第１５レンズ素子
Ａ      開口絞り
Ｓ      像面
１      ズームレンズ系
２      撮像素子
３      液晶モニタ
４      筐体
５      主鏡筒
６      移動鏡筒
７      円筒カム
【図１】
2013114515.tif 000005
【図２】
2013114515.tif 000006
【図３】
2013114515.tif 000007
【図４】
2013114515.tif 000008
【図５】
2013114515.tif 000009
【図６】
2013114515.tif 000010
【図７】
2013114515.tif 000011
【図８】
2013114515.tif 000012
【図９】
2013114515.tif 000013
【図１０】
2013114515.tif 000014
【図１１】
2013114515.tif 000015
【図１２】
2013114515.tif 000016
【図１３】
2013114515.tif 000017
【図１４】
2013114515.tif 000018
【図１５】
2013114515.tif 000019
【図１６】
2013114515.tif 000020
【図１７】
2013114515.tif 000021
【図１８】
2013114515.tif 000022
【図１９】
2013114515.tif 000023
【手続補正書】
【提出日】平成26年7月22日(2014.7.22)
【手続補正１】
【補正対象書類名】明細書
【補正対象項目名】全文
【補正方法】変更
【補正の内容】
【発明の詳細な説明】
【技術分野】
【０００１】
本開示は、ズームレンズ系、撮像装置及びカメラに関する。
【背景技術】
【０００２】
近年、高画素のＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）等の固体撮像素子の開発が進み、これら高画素の固体撮像素子に対応した、高い光学性能を有する撮像光学系を含む撮像装置を備えたデジタルスチルカメラやデジタルビデオカメラ（以下、単に「デジタルカメラ」という）が急速に普及してきている。このような高い光学性能を有するデジタルカメラの中でも、特に、１台のデジタルカメラで広角域から高望遠域までの広い焦点距離範囲をカバーすることができる、ズーム比が高いズームレンズ系を搭載したコンパクトタイプのデジタルカメラが、その利便性から強く要望されている。またさらに、撮影範囲が広い広角域を持つズームレンズ系も求められている。
【０００３】
前記コンパクトタイプのデジタルカメラに対しては、例えば次のような種々のズームレンズ系が提案されている。
【０００４】
特許文献１、２及び５には、正負正負正の５群構成を有し、ズーム比が２０〜３０倍と高倍率のズームレンズが開示され、特許文献３及び４には、正負正の３つのレンズ群と１つ以上のレンズ群を含む後続レンズ群とを有し、ズーム比が２０〜３０倍と高倍率のズームレンズが開示されている。
【先行技術文献】
【特許文献】
【０００５】
【特許文献１】特開２０１１−１２３３３７号公報
【特許文献２】特開２０１１−０７５９８５号公報
【特許文献３】特開２０１１−０３３８６８号公報
【特許文献４】特開２０１０−２７６６５５号公報
【特許文献５】特開２００９−２８２３９８号公報
【発明の概要】
【発明が解決しようとする課題】
【０００６】
本開示は、高解像度を有するのは勿論のこと、小型でありながら広角端での画角が８０°以上で広角撮影に充分に適応でき、しかも２４倍以上の大きなズーム比を有しながら、広角端から望遠端までＦナンバーが２．８程度と明るいズームレンズ系を提供する。また本開示は、該ズームレンズ系を含む撮像装置、及び該撮像装置を備えたコンパクトなカメラを提供する。
【課題を解決するための手段】
【０００７】
本開示におけるズームレンズ系は、
物体側から像側へと順に、
正のパワーを有する第１レンズ群と、
負のパワーを有する第２レンズ群と、
正のパワーを有する第３レンズ群と、
負のパワーを有する第４レンズ群と、
正のパワーを有する第５レンズ群とを備え、
前記第１レンズ群が、３枚以上のレンズ素子で構成され、
撮像時の広角端から望遠端へのズーミングの際に、少なくとも前記第１レンズ群と前記第２レンズ群と前記第３レンズ群とが像面に対して移動し、
無限遠合焦状態から近接物体合焦状態へのフォーカシングの際に、像面に対して移動するフォーカシングレンズ群を備え、該フォーカシングレンズ群が、１枚のレンズ素子で構成されており、
以下の条件（１）及び（７）：
３．２＜ＬＧ３／（ｆＴ×ｔａｎ（ωＴ））  ・・・（１）
０．３＜ｆＧ１／ｆＴ＜０．９  ・・・（７）
（ここで、
ＬＧ３：第３レンズ群の光軸上での厚み、
ｆＴ：望遠端における全系の焦点距離、
ωＴ：望遠端における半画角、
ｆＧ１：第１レンズ群の焦点距離
である）
を満足することを特徴とする。
【０００８】
本開示における撮像装置は、
物体の光学的な像を電気的な画像信号として出力可能な撮像装置であって、
物体の光学的な像を形成するズームレンズ系と、
該ズームレンズ系により形成された光学的な像を電気的な画像信号に変換する撮像素子と
を備え、
前記ズームレンズ系が、
物体側から像側へと順に、
正のパワーを有する第１レンズ群と、
負のパワーを有する第２レンズ群と、
正のパワーを有する第３レンズ群と、
負のパワーを有する第４レンズ群と、
正のパワーを有する第５レンズ群とを備え、
前記第１レンズ群が、３枚以上のレンズ素子で構成され、
撮像時の広角端から望遠端へのズーミングの際に、少なくとも前記第１レンズ群と前記第２レンズ群と前記第３レンズ群とが像面に対して移動し、
無限遠合焦状態から近接物体合焦状態へのフォーカシングの際に、像面に対して移動するフォーカシングレンズ群を備え、該フォーカシングレンズ群が、１枚のレンズ素子で構成されており、
以下の条件（１）及び（７）：
３．２＜ＬＧ３／（ｆＴ×ｔａｎ（ωＴ））  ・・・（１）
０．３＜ｆＧ１／ｆＴ＜０．９  ・・・（７）
（ここで、
ＬＧ３：第３レンズ群の光軸上での厚み、
ｆＴ：望遠端における全系の焦点距離、
ωＴ：望遠端における半画角、
ｆＧ１：第１レンズ群の焦点距離
である）
を満足することを特徴とするズームレンズ系である。
【０００９】
本開示におけるカメラは、
物体の光学的な像を電気的な画像信号に変換し、変換された画像信号の表示及び記憶の少なくとも一方を行うカメラであって、
物体の光学的な像を形成するズームレンズ系と、該ズームレンズ系により形成された光学的な像を電気的な画像信号に変換する撮像素子とを含む撮像装置を備え、
前記ズームレンズ系が、
物体側から像側へと順に、
正のパワーを有する第１レンズ群と、
負のパワーを有する第２レンズ群と、
正のパワーを有する第３レンズ群と、
負のパワーを有する第４レンズ群と、
正のパワーを有する第５レンズ群とを備え、
前記第１レンズ群が、３枚以上のレンズ素子で構成され、
撮像時の広角端から望遠端へのズーミングの際に、少なくとも前記第１レンズ群と前記第２レンズ群と前記第３レンズ群とが像面に対して移動し、
無限遠合焦状態から近接物体合焦状態へのフォーカシングの際に、像面に対して移動するフォーカシングレンズ群を備え、該フォーカシングレンズ群が、１枚のレンズ素子で構成されており、
以下の条件（１）及び（７）：
３．２＜ＬＧ３／（ｆＴ×ｔａｎ（ωＴ））  ・・・（１）
０．３＜ｆＧ１／ｆＴ＜０．９  ・・・（７）
（ここで、
ＬＧ３：第３レンズ群の光軸上での厚み、
ｆＴ：望遠端における全系の焦点距離、
ωＴ：望遠端における半画角、
ｆＧ１：第１レンズ群の焦点距離
である）
を満足することを特徴とするズームレンズ系である。
【発明の効果】
【００１０】
本開示におけるズームレンズ系は、高解像度を有するのは勿論のこと、小型でありながら広角端での画角が８０°以上で広角撮影に充分に適応でき、しかも２４倍以上の大きなズーム比を有しながら、広角端から望遠端までＦナンバーが２．８程度と明るい。
【図面の簡単な説明】
【００１１】
【図１】実施の形態１（数値実施例１）に係るズームレンズ系の無限遠合焦状態を示すレンズ配置図
【図２】数値実施例１に係るズームレンズ系の無限遠合焦状態の縦収差図
【図３】数値実施例１に係るズームレンズ系の望遠端における、像ぶれ補正を行っていない基本状態及び像ぶれ補正状態での横収差図
【図４】実施の形態２（数値実施例２）に係るズームレンズ系の無限遠合焦状態を示すレンズ配置図
【図５】数値実施例２に係るズームレンズ系の無限遠合焦状態の縦収差図
【図６】数値実施例２に係るズームレンズ系の望遠端における、像ぶれ補正を行っていない基本状態及び像ぶれ補正状態での横収差図
【図７】実施の形態３（数値実施例３）に係るズームレンズ系の無限遠合焦状態を示すレンズ配置図
【図８】数値実施例３に係るズームレンズ系の無限遠合焦状態の縦収差図
【図９】数値実施例３に係るズームレンズ系の望遠端における、像ぶれ補正を行っていない基本状態及び像ぶれ補正状態での横収差図
【図１０】実施の形態４（数値実施例４）に係るズームレンズ系の無限遠合焦状態を示すレンズ配置図
【図１１】数値実施例４に係るズームレンズ系の無限遠合焦状態の縦収差図
【図１２】数値実施例４に係るズームレンズ系の望遠端における、像ぶれ補正を行っていない基本状態及び像ぶれ補正状態での横収差図
【図１３】実施の形態５（数値実施例５）に係るズームレンズ系の無限遠合焦状態を示すレンズ配置図
【図１４】数値実施例５に係るズームレンズ系の無限遠合焦状態の縦収差図
【図１５】数値実施例５に係るズームレンズ系の望遠端における、像ぶれ補正を行っていない基本状態及び像ぶれ補正状態での横収差図
【図１６】実施の形態６（数値実施例６）に係るズームレンズ系の無限遠合焦状態を示すレンズ配置図
【図１７】数値実施例６に係るズームレンズ系の無限遠合焦状態の縦収差図
【図１８】数値実施例６に係るズームレンズ系の望遠端における、像ぶれ補正を行っていない基本状態及び像ぶれ補正状態での横収差図
【図１９】実施の形態７に係るデジタルスチルカメラの概略構成図
【発明を実施するための形態】
【００１２】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１３】
なお、発明者らは、当業者が本開示を充分に理解するために添付図面および以下の説明を提供するのであって、これらによって請求の範囲に記載の主題を限定することを意図するものではない。
【００１４】
（実施の形態１〜６）
図１、４、７、１０、１３及び１６は、各々実施の形態１〜６に係るズームレンズ系のレンズ配置図である。
【００１５】
図１、４、７、１０、１３及び１６は、いずれも無限遠合焦状態にあるズームレンズ系を表している。各図において、（ａ）図は広角端（最短焦点距離状態：焦点距離ｆＷ）のレンズ構成、（ｂ）図は中間位置（中間焦点距離状態：焦点距離ｆＭ＝√（ｆＷ＊ｆＴ））のレンズ構成、（ｃ）図は望遠端（最長焦点距離状態：焦点距離ｆＴ）のレンズ構成をそれぞれ表している。また各図において、（ａ）図と（ｂ）図との間に設けられた直線乃至曲線の矢印は、広角端から中間位置を経由して望遠端への、各レンズ群の動きを示す。さらに各図において、レンズ群に付された矢印は、無限遠合焦状態から近接物体合焦状態へのフォーカシングを表す。すなわち、無限遠合焦状態から近接物体合焦状態へのフォーカシングの際の移動方向を示している。
【００１６】
図１、４、７、１０、１３及び１６において、特定の面に付されたアスタリスク＊は、該面が非球面であることを示している。また各図において、各レンズ群の符号に付された記号（＋）及び記号（−）は、各レンズ群のパワーの符号に対応する。また各図において、最も右側に記載された直線は、像面Ｓの位置を表す。
【００１７】
図１、４、７、１０、１３及び１６において、第２レンズ群Ｇ２と第３レンズ群Ｇ３との間に開口絞りＡが設けられている。
【００１８】
（実施の形態１）
図１に示すように、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とが接合されている。
【００１９】
第２レンズ群Ｇ２は、物体側から像側へと順に、両凹形状の第４レンズ素子Ｌ４と、両凹形状の第５レンズ素子Ｌ５と、両凸形状の第６レンズ素子Ｌ６と、両凹形状の第７レンズ素子Ｌ７とからなる。これらのうち、第５レンズ素子Ｌ５と第６レンズ素子Ｌ６とが接合されている。また、第４レンズ素子Ｌ４は、その両面が非球面である。
【００２０】
第３レンズ群Ｇ３は、物体側から像側へと順に、物体側に凸面を向けた正メニスカス形状の第８レンズ素子Ｌ８と、両凸形状の第９レンズ素子Ｌ９と、両凹形状の第１０レンズ素子Ｌ１０と、両凸形状の第１１レンズ素子Ｌ１１とからなる。これらのうち、第９レンズ素子Ｌ９と第１０レンズ素子Ｌ１０とが接合されている。また、第８レンズ素子Ｌ８及び第１１レンズ素子Ｌ１１は、各々その両面が非球面である。
【００２１】
第４レンズ群Ｇ４は、物体側に凸面を向けた負メニスカス形状の第１２レンズ素子Ｌ１２のみからなる。
【００２２】
第５レンズ群Ｇ５は、両凸形状の第１３レンズ素子Ｌ１３のみからなる。また、第１３レンズ素子Ｌ１３は、その両面が非球面である。
【００２３】
第６レンズ群Ｇ６は、物体側に凸面を向けた負メニスカス形状の第１４レンズ素子Ｌ１４のみからなる。また、第１４レンズ素子Ｌ１４は、その両面が非球面である。
【００２４】
撮像時の広角端から望遠端へのズーミングの際に、第１レンズ群Ｇ１は物体側へ移動し、第２レンズ群Ｇ２は像側へ移動し、第３レンズ群Ｇ３は開口絞りＡと一体的に物体側へ移動し、第４レンズ群Ｇ４は物体側へ移動し、第５レンズ群Ｇ５は像側へ移動し、第６レンズ群Ｇ６は移動しない。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が変化し、第４レンズ群Ｇ４と第５レンズ群Ｇ５との間隔が増大し、第５レンズ群Ｇ５と第６レンズ群Ｇ６との間隔が減少するように、第１レンズ群Ｇ１、第２レンズ群Ｇ２、第３レンズ群Ｇ３、第４レンズ群Ｇ４及び第５レンズ群Ｇ５が光軸に沿ってそれぞれ移動する。
【００２５】
また、無限遠合焦状態から近接物体合焦状態へのフォーカシングの際に、第４レンズ群Ｇ４が光軸に沿って像側へと移動する。
【００２６】
さらに、第３レンズ群Ｇ３を像ぶれ補正レンズ群として光軸に直行する方向に移動させることによって、全系の振動による像点移動を補正する、すなわち、手ぶれ、振動等による像のぶれを光学的に補正することができる。
【００２７】
（実施の形態２）
図４に示すように、第１レンズ群Ｇ１は、物体側から像側へと順に、物体側に凸面を向けた負メニスカス形状の第１レンズ素子Ｌ１と、両凸形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とが接合されている。
【００２８】
第２レンズ群Ｇ２は、物体側から像側へと順に、両凹形状の第４レンズ素子Ｌ４と、両凹形状の第５レンズ素子Ｌ５と、両凸形状の第６レンズ素子Ｌ６と、像側に凸面を向けた負メニスカス形状の第７レンズ素子Ｌ７とからなる。これらのうち、第５レンズ素子Ｌ５と第６レンズ素子Ｌ６とが接合されている。また、第４レンズ素子Ｌ４は、その両面が非球面である。
【００２９】
第３レンズ群Ｇ３は、物体側から像側へと順に、物体側に凸面を向けた正メニスカス形状の第８レンズ素子Ｌ８と、両凸形状の第９レンズ素子Ｌ９と、両凹形状の第１０レンズ素子Ｌ１０と、両凸形状の第１１レンズ素子Ｌ１１とからなる。これらのうち、第９レンズ素子Ｌ９と第１０レンズ素子Ｌ１０とが接合されている。また、第８レンズ素子Ｌ８及び第１１レンズ素子Ｌ１１は、各々その両面が非球面である。
【００３０】
第４レンズ群Ｇ４は、物体側に凸面を向けた負メニスカス形状の第１２レンズ素子Ｌ１２のみからなる。
【００３１】
第５レンズ群Ｇ５は、両凸形状の第１３レンズ素子Ｌ１３のみからなる。また、第１３レンズ素子Ｌ１３は、その両面が非球面である。
【００３２】
第６レンズ群Ｇ６は、物体側に凸面を向けた負メニスカス形状の第１４レンズ素子Ｌ１４のみからなる。
【００３３】
撮像時の広角端から望遠端へのズーミングの際に、第１レンズ群Ｇ１は物体側へ移動し、第２レンズ群Ｇ２は像側へ移動し、第３レンズ群Ｇ３は開口絞りＡと一体的に物体側へ移動し、第４レンズ群Ｇ４は物体側へ移動し、第５レンズ群Ｇ５は像側へ移動し、第６レンズ群Ｇ６は移動しない。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が変化し、第４レンズ群Ｇ４と第５レンズ群Ｇ５との間隔が増大し、第５レンズ群Ｇ５と第６レンズ群Ｇ６との間隔が減少するように、第１レンズ群Ｇ１、第２レンズ群Ｇ２、第３レンズ群Ｇ３、第４レンズ群Ｇ４及び第５レンズ群Ｇ５が光軸に沿ってそれぞれ移動する。
【００３４】
また、無限遠合焦状態から近接物体合焦状態へのフォーカシングの際に、第４レンズ群Ｇ４が光軸に沿って像側へと移動する。
【００３５】
さらに、第３レンズ群Ｇ３の一部である第１１レンズ素子Ｌ１１を像ぶれ補正レンズ群として光軸に直行する方向に移動させることによって、全系の振動による像点移動を補正する、すなわち、手ぶれ、振動等による像のぶれを光学的に補正することができる。
【００３６】
（実施の形態３）
図７に示すように、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２と、物体側に凸面を向けた正メニスカス形状の第３レンズ素子Ｌ３と、物体側に凸面を向けた正メニスカス形状の第４レンズ素子Ｌ４とからなる。これらのうち、第１レンズ素子Ｌ１と第２レンズ素子Ｌ２とが接合されている。
【００３７】
第２レンズ群Ｇ２は、物体側から像側へと順に、物体側に凸面を向けた負メニスカス形状の第５レンズ素子Ｌ５と、両凹形状の第６レンズ素子Ｌ６と、両凸形状の第７レンズ素子Ｌ７と、像側に凸面を向けた負メニスカス形状の第８レンズ素子Ｌ８とからなる。これらのうち、第６レンズ素子Ｌ６と第７レンズ素子Ｌ７とが接合されている。また、第５レンズ素子Ｌ５は、その両面が非球面である。
【００３８】
第３レンズ群Ｇ３は、物体側から像側へと順に、物体側に凸面を向けた正メニスカス形状の第９レンズ素子Ｌ９と、両凸形状の第１０レンズ素子Ｌ１０と、両凹形状の第１１レンズ素子Ｌ１１と、両凸形状の第１２レンズ素子Ｌ１２とからなる。これらのうち、第１０レンズ素子Ｌ１０と第１１レンズ素子Ｌ１１とが接合されている。また、第９レンズ素子Ｌ９及び第１２レンズ素子Ｌ１２は、各々その両面が非球面である。
【００３９】
第４レンズ群Ｇ４は、物体側に凸面を向けた負メニスカス形状の第１３レンズ素子Ｌ１３のみからなる。
【００４０】
第５レンズ群Ｇ５は、物体側から像側へと順に、両凸形状の第１４レンズ素子Ｌ１４と、物体側に凸面を向けた負メニスカス形状の第１５レンズ素子Ｌ１５とからなる。また、第１４レンズ素子Ｌ１４は、その両面が非球面である。
【００４１】
撮像時の広角端から望遠端へのズーミングの際に、第１レンズ群Ｇ１は物体側へ移動し、第２レンズ群Ｇ２は像側へ移動し、第３レンズ群Ｇ３は開口絞りＡと一体的に物体側へ移動し、第４レンズ群Ｇ４は物体側へ移動し、第５レンズ群Ｇ５は移動しない。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が変化し、第４レンズ群Ｇ４と第５レンズ群Ｇ５との間隔が増大するように、第１レンズ群Ｇ１、第２レンズ群Ｇ２、第３レンズ群Ｇ３及び第４レンズ群Ｇ４が光軸に沿ってそれぞれ移動する。
【００４２】
また、無限遠合焦状態から近接物体合焦状態へのフォーカシングの際に、第４レンズ群Ｇ４が光軸に沿って像側へと移動する。
【００４３】
さらに、第３レンズ群Ｇ３を像ぶれ補正レンズ群として光軸に直行する方向に移動させることによって、全系の振動による像点移動を補正する、すなわち、手ぶれ、振動等による像のぶれを光学的に補正することができる。
【００４４】
（実施の形態４）
図１０に示すように、第１レンズ群Ｇ１は、物体側から像側へと順に、物体側に凸面を向けた負メニスカス形状の第１レンズ素子Ｌ１と、両凸形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とが接合されている。
【００４５】
第２レンズ群Ｇ２は、物体側から像側へと順に、両凹形状の第４レンズ素子Ｌ４と、両凹形状の第５レンズ素子Ｌ５と、両凸形状の第６レンズ素子Ｌ６と、両凹形状の第７レンズ素子Ｌ７とからなる。また、第４レンズ素子Ｌ４は、その両面が非球面である。
【００４６】
第３レンズ群Ｇ３は、物体側から像側へと順に、両凸形状の第８レンズ素子Ｌ８と、両凸形状の第９レンズ素子Ｌ９と、像側に凸面を向けた負メニスカス形状の第１０レンズ素子Ｌ１０と、両凹形状の第１１レンズ素子Ｌ１１と、両凸形状の第１２レンズ素子Ｌ１２とからなる。これらのうち、第９レンズ素子Ｌ９と第１０レンズ素子Ｌ１０とが接合されている。また、第８レンズ素子Ｌ８及び第１２レンズ素子Ｌ１２は、各々その両面が非球面である。
【００４７】
第４レンズ群Ｇ４は、物体側に凸面を向けた負メニスカス形状の第１３レンズ素子Ｌ１３のみからなる。
【００４８】
第５レンズ群Ｇ５は、両凸形状の第１４レンズ素子Ｌ１４のみからなる。また、第１４レンズ素子Ｌ１４は、その両面が非球面である。
【００４９】
第６レンズ群Ｇ６は、物体側に凸面を向けた負メニスカス形状の第１５レンズ素子Ｌ１５のみからなる。
【００５０】
撮像時の広角端から望遠端へのズーミングの際に、第１レンズ群Ｇ１は物体側へ移動し、第２レンズ群Ｇ２は像側へ移動し、第３レンズ群Ｇ３は開口絞りＡと一体的に物体側へ移動し、第４レンズ群Ｇ４は物体側へ移動し、第５レンズ群Ｇ５は像側へ移動し、第６レンズ群Ｇ６は移動しない。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が変化し、第４レンズ群Ｇ４と第５レンズ群Ｇ５との間隔が増大し、第５レンズ群Ｇ５と第６レンズ群Ｇ６との間隔が減少するように、第１レンズ群Ｇ１、第２レンズ群Ｇ２、第３レンズ群Ｇ３、第４レンズ群Ｇ４及び第５レンズ群Ｇ５が光軸に沿ってそれぞれ移動する。
【００５１】
また、無限遠合焦状態から近接物体合焦状態へのフォーカシングの際に、第４レンズ群Ｇ４が光軸に沿って像側へと移動する。
【００５２】
さらに、第３レンズ群Ｇ３の一部である第８レンズ素子Ｌ８、第９レンズ素子Ｌ９及び第１０レンズ素子Ｌ１０の３枚のレンズ素子を像ぶれ補正レンズ群として一体的に光軸に直行する方向に移動させることによって、全系の振動による像点移動を補正する、すなわち、手ぶれ、振動等による像のぶれを光学的に補正することができる。
【００５３】
（実施の形態５）
図１３に示すように、第１レンズ群Ｇ１は、物体側から像側へと順に、物体側に凸面を向けた負メニスカス形状の第１レンズ素子Ｌ１と、両凸形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とが接合されている。
【００５４】
第２レンズ群Ｇ２は、物体側から像側へと順に、両凹形状の第４レンズ素子Ｌ４と、両凹形状の第５レンズ素子Ｌ５と、両凸形状の第６レンズ素子Ｌ６と、両凹形状の第７レンズ素子Ｌ７とからなる。これらのうち、第５レンズ素子Ｌ５と第６レンズ素子Ｌ６とが接合されている。また、第４レンズ素子Ｌ４は、その両面が非球面である。
【００５５】
第３レンズ群Ｇ３は、物体側から像側へと順に、物体側に凸面を向けた正メニスカス形状の第８レンズ素子Ｌ８と、両凸形状の第９レンズ素子Ｌ９と、両凹形状の第１０レンズ素子Ｌ１０と、両凸形状の第１１レンズ素子Ｌ１１とからなる。これらのうち、第９レンズ素子Ｌ９と第１０レンズ素子Ｌ１０とが接合されている。また、第８レンズ素子Ｌ８及び第１１レンズ素子Ｌ１１は、各々その両面が非球面である。
【００５６】
第４レンズ群Ｇ４は、物体側に凸面を向けた負メニスカス形状の第１２レンズ素子Ｌ１２のみからなる。
【００５７】
第５レンズ群Ｇ５は、両凸形状の第１３レンズ素子Ｌ１３のみからなる。また、第１３レンズ素子Ｌ１３は、その両面が非球面である。
【００５８】
第６レンズ群Ｇ６は、物体側に凸面を向けた負メニスカス形状の第１４レンズ素子Ｌ１４のみからなる。また、第１４レンズ素子Ｌ１４は、その両面が非球面である。
【００５９】
撮像時の広角端から望遠端へのズーミングの際に、第１レンズ群Ｇ１は物体側へ移動し、第２レンズ群Ｇ２は像側へ移動し、第３レンズ群Ｇ３は開口絞りＡと一体的に物体側へ移動し、第４レンズ群Ｇ４は物体側へ移動し、第５レンズ群Ｇ５は像側へ移動し、第６レンズ群Ｇ６は移動しない。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が変化し、第４レンズ群Ｇ４と第５レンズ群Ｇ５との間隔が増大し、第５レンズ群Ｇ５と第６レンズ群Ｇ６との間隔が減少するように、第１レンズ群Ｇ１、第２レンズ群Ｇ２、第３レンズ群Ｇ３、第４レンズ群Ｇ４及び第５レンズ群Ｇ５が光軸に沿ってそれぞれ移動する。
【００６０】
また、無限遠合焦状態から近接物体合焦状態へのフォーカシングの際に、第４レンズ群Ｇ４が光軸に沿って像側へと移動する。
【００６１】
さらに、第３レンズ群Ｇ３を像ぶれ補正レンズ群として光軸に直行する方向に移動させることによって、全系の振動による像点移動を補正する、すなわち、手ぶれ、振動等による像のぶれを光学的に補正することができる。
【００６２】
（実施の形態６）
図１６に示すように、第１レンズ群Ｇ１は、物体側から像側へと順に、物体側に凸面を向けた負メニスカス形状の第１レンズ素子Ｌ１と、両凸形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とが接合されている。
【００６３】
第２レンズ群Ｇ２は、物体側から像側へと順に、両凹形状の第４レンズ素子Ｌ４と、両凹形状の第５レンズ素子Ｌ５と、両凸形状の第６レンズ素子Ｌ６と、像側に凸面を向けた負メニスカス形状の第７レンズ素子Ｌ７とからなる。これらのうち、第５レンズ素子Ｌ５と第６レンズ素子Ｌ６とが接合されている。また、第４レンズ素子Ｌ４は、その両面が非球面である。
【００６４】
第３レンズ群Ｇ３は、物体側から像側へと順に、物体側に凸面を向けた正メニスカス形状の第８レンズ素子Ｌ８と、両凸形状の第９レンズ素子Ｌ９と、両凹形状の第１０レンズ素子Ｌ１０と、両凸形状の第１１レンズ素子Ｌ１１とからなる。これらのうち、第９レンズ素子Ｌ９と第１０レンズ素子Ｌ１０とが接合されている。また、第８レンズ素子Ｌ８及び第１１レンズ素子Ｌ１１は、各々その両面が非球面である。
【００６５】
第４レンズ群Ｇ４は、物体側に凸面を向けた負メニスカス形状の第１２レンズ素子Ｌ１２のみからなる。
【００６６】
第５レンズ群Ｇ５は、両凸形状の第１３レンズ素子Ｌ１３のみからなる。また、第１３レンズ素子Ｌ１３は、その両面が非球面である。
【００６７】
第６レンズ群Ｇ６は、物体側に凸面を向けた負メニスカス形状の第１４レンズ素子Ｌ１４のみからなる。
【００６８】
撮像時の広角端から望遠端へのズーミングの際に、第１レンズ群Ｇ１は物体側へ移動し、第２レンズ群Ｇ２は像側へ移動し、第３レンズ群Ｇ３は開口絞りＡと一体的に物体側へ移動し、第４レンズ群Ｇ４は物体側へ移動し、第５レンズ群Ｇ５は像側へ移動し、第６レンズ群Ｇ６は移動しない。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が変化し、第４レンズ群Ｇ４と第５レンズ群Ｇ５との間隔が増大し、第５レンズ群Ｇ５と第６レンズ群Ｇ６との間隔が減少するように、第１レンズ群Ｇ１、第２レンズ群Ｇ２、第３レンズ群Ｇ３、第４レンズ群Ｇ４及び第５レンズ群Ｇ５が、光軸に沿ってそれぞれ移動する。
【００６９】
また、無限遠合焦状態から近接物体合焦状態へのフォーカシングの際に、第４レンズ群Ｇ４が光軸に沿って像側へと移動する。
【００７０】
さらに、第３レンズ群Ｇ３の一部である第１１レンズ素子Ｌ１１を像ぶれ補正レンズ群として光軸に直行する方向に移動させることによって、全系の振動による像点移動を補正する、すなわち、手ぶれ、振動等による像のぶれを光学的に補正することができる。
【００７１】
実施の形態１〜３及び５〜６に係るズームレンズ系では、第２レンズ群Ｇ２が少なくとも１組の接合レンズ素子を含む。第２レンズ群Ｇ２に接合レンズ素子が含まれず、狭い間隔で複数のレンズ素子が配置されていると、空気間隔の誤差に対する性能劣化度合が高くなり、光学系の組み立てが困難となる場合がある。
【００７２】
実施の形態１〜６に係るズームレンズ系は、無限遠合焦状態から近接物体合焦状態へのフォーカシングの際に像面に対して移動するフォーカシングレンズ群（第４レンズ群Ｇ４）を備えており、該フォーカシングレンズ群は、１枚のレンズ素子で構成される。フォーカシングレンズ群が複数のレンズ素子で構成されていると、該フォーカシングレンズ群を光軸方向に移動するためのアクチュエータが大きくなり、コンパクトなレンズ鏡筒や撮像装置、カメラを提供することが困難となる。
【００７３】
実施の形態１〜６に係るズームレンズ系では、撮像時の広角端から望遠端へのズーミングの際に、少なくとも１つのレンズ群が像面に対して固定されている。ズーミングの際に像面に対して全てのレンズ群が移動すると、それらの駆動機構の構成が肥大化し、コンパクトなレンズ鏡筒や撮像装置、カメラを提供することが困難となる。
【００７４】
以上のように、本出願において開示する技術の例示として、実施の形態１〜６を説明した。しかしながら、本開示における技術は、これに限定されず、適宜、変更、置き換え、付加、省略などを行った実施の形態にも適用可能である。
【００７５】
以下、例えば実施の形態１〜６に係るズームレンズ系のごときズームレンズ系が満足することが有益な条件を説明する。なお、各実施の形態に係るズームレンズ系に対して、複数の有益な条件が規定されるが、これら複数の条件すべてを満足するズームレンズ系の構成が最も有益である。しかしながら、個別の条件を満足することにより、それぞれ対応する効果を奏するズームレンズ系を得ることも可能である。
【００７６】
例えば実施の形態１〜６に係るズームレンズ系のように、物体側から像側へと順に、正のパワーを有する第１レンズ群と、負のパワーを有する第２レンズ群と、正のパワーを有する第３レンズ群と、負のパワーを有する第４レンズ群と、正のパワーを有する第５レンズ群とを備え、前記第１レンズ群が、３枚以上のレンズ素子で構成され、撮像時の広角端から望遠端へのズーミングの際に、少なくとも前記第１レンズ群と前記第２レンズ群と前記第３レンズ群とが像面に対して移動し、無限遠合焦状態から近接物体合焦状態へのフォーカシングの際に、像面に対して移動するフォーカシングレンズ群を備え、該フォーカシングレンズ群が、１枚のレンズ素子で構成されている（以下、このレンズ構成を、実施の形態の基本構成という）ズームレンズ系は、以下の条件（１）を満足しており、以下の条件（２）を満足することが有益である。
３．２＜ＬＧ３／（ｆＴ×ｔａｎ（ωＴ））  ・・・（１）
２．０＜｜ＭＧ１／（ｆＴ×ｔａｎ（ωＴ））｜＜１５．０  ・・・（２）
ここで、
ＬＧ３：第３レンズ群の光軸上での厚み、
ｆＴ：望遠端における全系の焦点距離、
ωＴ：望遠端における半画角、
ＭＧ１：撮像時の広角端から望遠端へのズーミングの際の、第１レンズ群の光軸方向の移動量
である。
【００７７】
なお、ＭＧ１は、望遠端における像面から第１レンズ群の最物体側面までの光軸上の距離から、広角端における像面から第１レンズ群の最物体側面までの光軸上の距離を引いた値である。
【００７８】
前記条件（１）は、第３レンズ群の光軸上での厚みと、望遠端における全系の焦点距離及び半画角との関係を規定するための条件である。条件（１）の下限を下回ると、第３レンズ群内におけるレンズ素子同士の間隔が狭くなり、特に望遠端における像面湾曲の補正が困難となる。また、レンズ素子同士の間隔の誤差に対する性能劣化度合が高くなり、光学系の組み立てが困難となる。
【００７９】
前記条件（２）は、撮像時の広角端から望遠端へのズーミングの際の、第１レンズ群の光軸方向の移動量と、望遠端における全系の焦点距離及び半画角との関係を規定するための条件である。条件（２）の下限を下回ると、第１レンズ群の焦点距離が短くなり、変倍時の収差変動が大きくなって、諸収差の補正が困難となるため、高い変倍比の実現が困難となる。逆に条件（２）の上限を上回ると、変倍時における第１レンズ群の移動量が大きくなり、コンパクトなレンズ鏡筒や撮像装置、カメラを提供することが困難となる。
【００８０】
以下の条件（１）’と、（２）’−１及び（２）’’の少なくとも１つと、を満足することにより、前記効果をさらに奏功させることができる。
３．６＜ＬＧ３／（ｆＴ×ｔａｎ（ωＴ））  ・・・（１）’
４．０＜｜ＭＧ１／（ｆＴ×ｔａｎ（ωＴ））｜  ・・・（２）’−１
｜ＭＧ１／（ｆＴ×ｔａｎ（ωＴ））｜＜１２．０  ・・・（２）’’
【００８１】
また、以下の条件（１）’’と、（２）’−２及び（２）’’の少なくとも１つと、を満足することにより、前記効果をより一層奏功させることができる。
４．０＜ＬＧ３／（ｆＴ×ｔａｎ（ωＴ））  ・・・（１）’’
６．０＜｜ＭＧ１／（ｆＴ×ｔａｎ（ωＴ））｜  ・・・（２）’−２
｜ＭＧ１／（ｆＴ×ｔａｎ（ωＴ））｜＜１２．０  ・・・（２）’’
【００８２】
例えば実施の形態１〜６に係るズームレンズ系のように、基本構成を有し、第２レンズ群が、物体側から像側へと順に、負のパワーを有する第１レンズ素子と負のパワーを有する第２レンズ素子とを有するズームレンズ系では、これら第１レンズ素子及び第２レンズ素子が、以下の条件（３）及び（４）を満足することが有益である。
４．１＜｜Ｒ２ａ／Ｒ２ｂ｜  ・・・（３）
−０．１＜（Ｒ２ｂ−Ｒ２ｃ）／（Ｒ２ｂ＋Ｒ２ｃ）  ・・・（４）
ここで、
Ｒ２ａ：第１レンズ素子の物体側面の曲率半径、
Ｒ２ｂ：第１レンズ素子の像側面の曲率半径、
Ｒ２ｃ：第２レンズ素子の像側面の曲率半径
である。
【００８３】
前記条件（３）は、第２レンズ群内の第１負レンズ素子の物体側面の曲率半径と、該第１負レンズ素子の像側面の曲率半径との関係を規定するための条件である。条件（３）の下限を下回ると、第１負レンズ素子の像側面の曲率半径が大きく、第１負レンズ素子の像側面の曲率が弱くなり、特に望遠端における球面収差の補正が困難となる。
【００８４】
前記条件（４）は、第２レンズ群内の第１負レンズ素子の像側面の曲率半径と、第２レンズ群内の第２負レンズ素子の像側面の曲率半径との関係を規定するための条件である。条件（４）の下限を下回ると、第１負レンズ素子の像側面の曲率半径が、第２負レンズ素子の像側面の曲率半径に比べて小さく、第１負レンズ素子の像側面の曲率が、第２負レンズ素子の像側面の曲率に比べて強くなり、特に望遠端におけるコマ収差の補正が困難となる。
【００８５】
以下の条件（３）’及び（４）’を満足することにより、前記効果をさらに奏功させることができる。
５．０＜｜Ｒ２ａ／Ｒ２ｂ｜  ・・・（３）’
０＜（Ｒ２ｂ−Ｒ２ｃ）／（Ｒ２ｂ＋Ｒ２ｃ）  ・・・（４）’
【００８６】
また、以下の条件（３）’’及び（４）’’を満足することにより、前記効果をより一層奏功させることができる。
６．０＜｜Ｒ２ａ／Ｒ２ｂ｜  ・・・（３）’’
０．１＜（Ｒ２ｂ−Ｒ２ｃ）／（Ｒ２ｂ＋Ｒ２ｃ）  ・・・（４）’’
【００８７】
例えば実施の形態１〜６に係るズームレンズ系のように、基本構成を有するズームレンズ系では、第３レンズ群が少なくとも１枚の正のパワーを有するレンズ素子を有し、以下の条件（５）を満足することが有益である。
Ｎ３ｐ＜１．６４  ・・・（５）
ここで、
Ｎ３ｐ：第３レンズ群を構成する正のパワーを有するレンズ素子の、ｄ線に対する屈折率の平均値
である。
【００８８】
前記条件（５）は、第３レンズ群を構成する正のパワーを有するレンズ素子の、ｄ線に対する屈折率の平均値を規定するための条件である。条件（５）の上限を上回ると、第３レンズ群のパワーが強くなり、特に望遠端における球面収差の補正が困難となる。また、屈折率の高い硝材は比重が高い傾向にあるため、第３レンズ群を構成するレンズ素子の重量が大きくなる。その結果、像のぶれを光学的に補正するためのレンズ群として第３レンズ群を選んだ際に、このレンズ群の駆動機構の構成が肥大化し、コンパクトなレンズ鏡筒や撮像装置、カメラを提供することが困難となる。
【００８９】
以下の条件（５）’を満足することにより、前記効果をさらに奏功させることができる。
Ｎ３ｐ＜１．５９  ・・・（５）’
【００９０】
また、以下の条件（５）’’を満足することにより、前記効果をより一層奏功させることができる。
Ｎ３ｐ＜１．５４  ・・・（５）’’
【００９１】
例えば実施の形態１〜６に係るズームレンズ系のように、基本構成を有するズームレンズ系は、以下の条件（６）を満足することが有益である。
０．６＜｜ＭＧ４／ＭＧ２｜＜８．０  ・・・（６）
ここで、
ＭＧ２：撮像時の広角端から望遠端へのズーミングの際の、第２レンズ群の光軸方向の移動量、
ＭＧ４：撮像時の広角端から望遠端へのズーミングの際の、第４レンズ群の光軸方向の移動量
である。
【００９２】
なお、ＭＧ２は、望遠端における像面から第２レンズ群の最物体側面までの光軸上の距離から、広角端における像面から第２レンズ群の最物体側面までの光軸上の距離を引いた値である。また、ＭＧ４は、望遠端における像面から第４レンズ群の最物体側面までの光軸上の距離から、広角端における像面から第４レンズ群の最物体側面までの光軸上の距離を引いた値である。
【００９３】
前記条件（６）は、撮像時の広角端から望遠端へのズーミングの際の、第２レンズ群の光軸方向の移動量と、第４レンズ群の光軸方向の移動量との比を規定するための条件である。条件（６）の下限を下回ると、ズーミングの際の第４レンズ群の移動量に比べて、第２レンズ群の移動量が大きくなり、特に望遠端における非点収差の補正が困難となる。逆に条件（６）の上限を上回ると、ズーミングの際の第２レンズ群の移動量に比べて、第４レンズ群の移動量が大きくなり、特に望遠端における像面湾曲の補正が困難となる。
【００９４】
以下の条件（６）’−１及び（６）’’の少なくとも１つを満足することにより、前記効果をさらに奏功させることができる。
１．０＜｜ＭＧ４／ＭＧ２｜  ・・・（６）’−１
｜ＭＧ４／ＭＧ２｜＜６．０  ・・・（６）’’
【００９５】
また、以下の条件（６）’−２及び（６）’’の少なくとも１つを満足することにより、前記効果をより一層奏功させることができる。
１．４＜｜ＭＧ４／ＭＧ２｜  ・・・（６）’−２
｜ＭＧ４／ＭＧ２｜＜６．０  ・・・（６）’’
【００９６】
例えば実施の形態１〜６に係るズームレンズ系のように、基本構成を有するズームレンズ系は、以下の条件（７）を満足する。
０．３＜ｆＧ１／ｆＴ＜０．９  ・・・（７）
ここで、
ｆＧ１：第１レンズ群の焦点距離、
ｆＴ：望遠端における全系の焦点距離
である。
【００９７】
前記条件（７）は、第１レンズ群の焦点距離と、望遠端における全系の焦点距離との関係を規定するための条件である。条件（７）の下限を下回ると、第１レンズ群の焦点距離が短くなり、変倍時の収差変動が大きくなって、諸収差の補正が困難となるため、高いズーム比の実現が困難となる。逆に条件（７）の上限を上回ると、第１レンズ群の焦点距離が長くなり、変倍時における第１レンズ群の移動量が大きくなるため、コンパクトなレンズ鏡筒や撮像装置、カメラを提供することが困難となる。
【００９８】
以下の条件（７）’−１及び（７）’’の少なくとも１つを満足することにより、前記効果をさらに奏功させることができる。
０．４＜ｆＧ１／ｆＴ  ・・・（７）’−１
ｆＧ１／ｆＴ＜０．８  ・・・（７）’’
【００９９】
また、以下の条件（７）’−２及び（７）’’の少なくとも１つを満足することにより、前記効果をより一層奏功させることができる。
０．５＜ｆＧ１／ｆＴ  ・・・（７）’−２
ｆＧ１／ｆＴ＜０．８  ・・・（７）’’
【０１００】
例えば実施の形態１〜６に係るズームレンズ系のように、基本構成を有するズームレンズ系は、以下の条件（８）を満足することが有益である。
１０＜｜（Ｇ４Ｔ−Ｇ４Ｍ）／（Ｇ４Ｍ−Ｇ４Ｗ）｜  ・・・（８）
ここで、
Ｇ４Ｗ：広角端における第４レンズ群の物体側面頂から像面までの距離、
Ｇ４Ｔ：望遠端における第４レンズ群の物体側面頂から像面までの距離、
Ｇ４Ｍ：中間位置における第４レンズ群の物体側面頂から像面までの距離、
中間位置：全系の焦点距離ｆＭが次式で表される位置
ｆＭ＝√（ｆＷ＊ｆＴ）、
ｆＷ：広角端における全系の焦点距離、
ｆＴ：望遠端における全系の焦点距離
である。
【０１０１】
前記条件（８）は、広角端、望遠端及び中間位置各々における、第４レンズ群の物体側面頂から像面までの距離を規定するための条件である。条件（８）の下限を下回ると、望遠端において第４レンズ群と第５レンズ群との間隔が狭くなり、フォーカシングの際に例えば第４レンズ群を移動させる場合、フォーカシングのための空間の確保が困難となる。
【０１０２】
以下の条件（８）’を満足することにより、前記効果をさらに奏功させることができる。
１５＜｜（Ｇ４Ｔ−Ｇ４Ｍ）／（Ｇ４Ｍ−Ｇ４Ｗ）｜  ・・・（８）’
【０１０３】
また、以下の条件（８）’’を満足することにより、前記効果をより一層奏功させることができる。
２０＜｜（Ｇ４Ｔ−Ｇ４Ｍ）／（Ｇ４Ｍ−Ｇ４Ｗ）｜  ・・・（８）’’
【０１０４】
例えば実施の形態１〜６に係るズームレンズ系のように、基本構成を有するズームレンズ系は、以下の条件（９）を満足することが有益である。
｜ＭＧ５／（ｆＴ×ｔａｎ（ωＴ））｜＜１．５  ・・・（９）
ここで、
ＭＧ５：撮像時の広角端から望遠端へのズーミングの際の、第５レンズ群の光軸方向の移動量、
ｆＴ：望遠端における全系の焦点距離、
ωＴ：望遠端における半画角
である。
【０１０５】
なお、ＭＧ５は、望遠端における像面から第５レンズ群の最物体側面までの光軸上の距離から、広角端における像面から第５レンズ群の最物体側面までの光軸上の距離を引いた値である。
【０１０６】
前記条件（９）は、撮像時の広角端から望遠端へのズーミングの際の、第５レンズ群の光軸方向の移動量と、望遠端における全系の焦点距離及び半画角との関係を規定するための条件である。条件（９）の上限を上回ると、像面を補正する役割を担う第５レンズ群の移動量が大きくなり、広角端から望遠端まで一様に像面を補正することが困難となる。
【０１０７】
以下の条件（９）’−１及び（９）’’−１の少なくとも１つを満足することにより、前記効果をさらに奏功させることができる。
０．２＜｜ＭＧ５／（ｆＴ×ｔａｎ（ωＴ））｜  ・・・（９）’−１
｜ＭＧ５／（ｆＴ×ｔａｎ（ωＴ））｜＜１．４  ・・・（９）’’−１
【０１０８】
また、以下の条件（９）’−２及び（９）’’−２の少なくとも１つを満足することにより、前記効果をより一層奏功させることができる。
０．４＜｜ＭＧ５／（ｆＴ×ｔａｎ（ωＴ））｜  ・・・（９）’−２
｜ＭＧ５／（ｆＴ×ｔａｎ（ωＴ））｜＜１．３  ・・・（９）’’−２
【０１０９】
実施の形態１〜６に係るズームレンズ系を構成している各レンズ群は、入射光線を屈折により偏向させる屈折型レンズ素子（すなわち、異なる屈折率を有する媒質同士の界面で偏向が行われるタイプのレンズ素子）のみで構成されているが、これに限定されるものではない。例えば、回折により入射光線を偏向させる回折型レンズ素子、回折作用と屈折作用との組み合わせで入射光線を偏向させる屈折・回折ハイブリッド型レンズ素子、入射光線を媒質内の屈折率分布により偏向させる屈折率分布型レンズ素子等で、各レンズ群を構成してもよい。特に、屈折・回折ハイブリッド型レンズ素子において、屈折率の異なる媒質の界面に回折構造を形成すると、回折効率の波長依存性が改善されるので、有益である。
【０１１０】
（実施の形態７）
図１９は、実施の形態７に係るデジタルスチルカメラの概略構成図である。図１９において、デジタルスチルカメラは、ズームレンズ系１とＣＣＤである撮像素子２とを含む撮像装置と、液晶モニタ３と、筐体４とから構成される。ズームレンズ系１として、実施の形態１に係るズームレンズ系が用いられている。図１９において、ズームレンズ系１は、第１レンズ群Ｇ１と、第２レンズ群Ｇ２と、開口絞りＡと、第３レンズ群Ｇ３と、第４レンズ群Ｇ４と、第５レンズ群Ｇ５と、第６レンズ群Ｇ６とから構成されている。筐体４は、前側にズームレンズ系１が配置され、ズームレンズ系１の後側には、撮像素子２が配置されている。筐体４の後側に液晶モニタ３が配置され、ズームレンズ系１による被写体の光学的な像が像面Ｓに形成される。
【０１１１】
鏡筒は、主鏡筒５と、移動鏡筒６と、円筒カム７とで構成されている。円筒カム７を回転させると、第１レンズ群Ｇ１、第２レンズ群Ｇ２、開口絞りＡ及び第３レンズ群Ｇ３、第４レンズ群Ｇ４、第５レンズ群Ｇ５、第６レンズ群Ｇ６が撮像素子２を基準にした所定の位置に移動し、広角端から望遠端までのズーミングを行うことができる。第４レンズ群Ｇ４はフォーカス調整用モータにより光軸方向に移動可能である。
【０１１２】
こうして、デジタルスチルカメラに実施の形態１に係るズームレンズ系を用いることにより、解像度及び像面湾曲を補正する能力が高く、非使用時のレンズ全長が短い小型のデジタルスチルカメラを提供することができる。なお、図１９に示したデジタルスチルカメラには、実施の形態１に係るズームレンズ系の替わりに実施の形態２〜６に係るズームレンズ系のいずれかを用いてもよい。また、図１９に示したデジタルスチルカメラの光学系は、動画像を対象とするデジタルビデオカメラに用いることもできる。この場合、静止画像だけでなく、解像度の高い動画像を撮影することができる。
【０１１３】
なお、本実施の形態７に係るデジタルスチルカメラでは、ズームレンズ系１として実施の形態１〜６に係るズームレンズ系を示したが、これらのズームレンズ系は、全てのズーミング域を使用しなくてもよい。すなわち、所望のズーミング域に応じて、光学性能が確保されている範囲を切り出し、実施の形態１〜６で説明したズームレンズ系よりも低倍率のズームレンズ系として使用してもよい。
【０１１４】
さらに、実施の形態７では、いわゆる沈胴構成の鏡筒にズームレンズ系を適用した例を示したが、これに限られない。例えば、第１レンズ群Ｇ１内等の任意の位置に、内部反射面を持つプリズムや、表面反射ミラーを配置し、いわゆる屈曲構成の鏡筒にズームレンズ系を適用してもよい。
【０１１５】
また、以上説明した実施の形態１〜６に係るズームレンズ系と、ＣＣＤやＣＭＯＳ等の撮像素子とから構成される撮像装置を、スマートフォン等の携帯情報端末のカメラ、監視システムにおける監視カメラ、Ｗｅｂカメラ、車載カメラ等に適用することもできる。
【０１１６】
以上のように、本出願において開示する技術の例示として、実施の形態７を説明した。しかしながら、本開示における技術は、これに限定されず、適宜、変更、置き換え、付加、省略などを行った実施の形態にも適用可能である。
【０１１７】
以下、実施の形態１〜６に係るズームレンズ系を具体的に実施した数値実施例を説明する。なお、各数値実施例において、表中の長さの単位はすべて「ｍｍ」であり、画角の単位はすべて「°」である。また、各数値実施例において、ｒは曲率半径、ｄは面間隔、ｎｄはｄ線に対する屈折率、ｖｄはｄ線に対するアッベ数である。また、各数値実施例において、＊印を付した面は非球面であり、非球面形状は次式で定義している。
【数１】
2013114515.tif 000024
ここで、
Ｚ：光軸からの高さがｈの非球面上の点から、非球面頂点の接平面までの距離、
ｈ：光軸からの高さ、
ｒ：頂点曲率半径、
κ：円錐定数、
Ａｎ：ｎ次の非球面係数
である。
【０１１８】
図２、５、８、１１、１４及び１７は、各々数値実施例１〜６に係るズームレンズ系の無限遠合焦状態の縦収差図である。
【０１１９】
各縦収差図において、（ａ）図は広角端、（ｂ）図は中間位置、（ｃ）図は望遠端における各収差を表す。各縦収差図は、左側から順に、球面収差（ＳＡ（ｍｍ））、非点収差（ＡＳＴ（ｍｍ））、歪曲収差（ＤＩＳ（％））を示す。球面収差図において、縦軸はＦナンバー（図中、Ｆで示す）を表し、実線はｄ線（ｄ−ｌｉｎｅ）、短破線はＦ線（Ｆ−ｌｉｎｅ）、長破線はＣ線（Ｃ−ｌｉｎｅ）の特性である。非点収差図において、縦軸は像高（図中、Ｈで示す）を表し、実線はサジタル平面（図中、ｓで示す）、破線はメリディオナル平面（図中、ｍで示す）の特性である。歪曲収差図において、縦軸は像高（図中、Ｈで示す）を表す。
【０１２０】
図３、６、９、１２、１５及び１８は、各々数値実施例１〜６に係るズームレンズ系の望遠端における横収差図である。
【０１２１】
各横収差図において、上段３つの収差図は、望遠端における像ぶれ補正を行っていない基本状態、下段３つの収差図は、像ぶれ補正レンズ群を光軸と垂直な方向に所定量移動させた望遠端における像ぶれ補正状態に、それぞれ対応する。基本状態の各横収差図のうち、上段は最大像高の７０％の像点における横収差、中段は軸上像点における横収差、下段は最大像高の−７０％の像点における横収差に、それぞれ対応する。像ぶれ補正状態の各横収差図のうち、上段は最大像高の７０％の像点における横収差、中段は軸上像点における横収差、下段は最大像高の−７０％の像点における横収差に、それぞれ対応する。また各横収差図において、横軸は瞳面上での主光線からの距離を表し、実線はｄ線（ｄ−ｌｉｎｅ）、短破線はＦ線（Ｆ−ｌｉｎｅ）、長破線はＣ線（Ｃ−ｌｉｎｅ）の特性である。なお各横収差図において、メリディオナル平面を、第１レンズ群Ｇ１の光軸と第３レンズ群Ｇ３の光軸とを含む平面としている。
【０１２２】
なお、各数値実施例のズームレンズ系について、望遠端における、像ぶれ補正状態での像ぶれ補正レンズ群の光軸と垂直な方向への移動量は、以下に示すとおりである。
数値実施例１  ０．４３１ｍｍ
数値実施例２  ０．５１７ｍｍ
数値実施例３  ０．２２３ｍｍ
数値実施例４  ０．２８７ｍｍ
数値実施例５  ０．２２８ｍｍ
数値実施例６  ０．５１１ｍｍ
【０１２３】
数値実施例１、２及び６について、撮影距離が∞で望遠端において、ズームレンズ系が０．６°だけ傾いた場合の像偏心量は、像ぶれ補正レンズ群が光軸と垂直な方向に上記の各値だけ平行移動するときの像偏心量に等しい。
【０１２４】
数値実施例３〜５について、撮影距離が∞で望遠端において、ズームレンズ系が０．３°だけ傾いた場合の像偏心量は、像ぶれ補正レンズ群が光軸と垂直な方向に上記の各値だけ平行移動するときの像偏心量に等しい。
【０１２５】
各横収差図から明らかなように、軸上像点における横収差の対称性は良好であることがわかる。また、＋７０％像点における横収差と−７０％像点における横収差とを基本状態で比較すると、いずれも湾曲度が小さく、収差曲線の傾斜がほぼ等しいことから、偏心コマ収差、偏心非点収差が小さいことがわかる。このことは、像ぶれ補正状態であっても充分な結像性能が得られていることを意味している。また、ズームレンズ系の像ぶれ補正角が同じ場合には、ズームレンズ系全体の焦点距離が短くなるにつれて、像ぶれ補正に必要な平行移動量が減少する。したがって、いずれのズーム位置であっても、０．３°乃至０．６°までの像ぶれ補正角に対して、結像特性を低下させることなく充分な像ぶれ補正を行うことが可能である。
【０１２６】
（数値実施例１）
数値実施例１のズームレンズ系は、図１に示した実施の形態１に対応する。数値実施例１のズームレンズ系の面データを表１に、非球面データを表２に、各種データを表３に示す。
【０１２７】
表  １（面データ）
面番号         r           d           nd         vd     
物面             ∞                                    
1         77.26180     1.25000     1.90366    31.3    
2         43.58840     4.99930     1.49700    81.6    
3       3475.28240     0.15000                        
4         48.53490     4.40900     1.59282    68.6    
5       1255.14270        可変                        
6*      -173.72890     0.50000     1.88202    37.2    
7*        20.55860     3.88600                        
8        -30.69750     0.55000     1.80420    46.5    
9         12.74650     4.92640     1.92286    20.9    
10        -85.79200     0.95080                        
11        -22.33630     0.55000     1.80420    46.5    
12        221.20270        可変                        
13(絞り)           ∞     1.00000                        
14*        12.71340     2.88440     1.51760    63.5    
15*       176.37160     5.77000                        
16         16.59210     3.09530     1.43700    95.1    
17        -22.69720     0.50000     1.69895    30.0    
18         16.81620     4.28870                        
19*        12.47270     4.11140     1.52996    55.8    
20*       -27.25680        可変                        
21         76.43180     1.29130     1.43700    95.1    
22         19.70840        可変                        
23*        18.51920     2.00000     1.52996    55.8    
24*       -27.35030        可変                        
25*        93.41950     1.63940     1.88202    37.2    
26*        14.45290        (BF)                        
像面             ∞                                    
【０１２８】
表  ２（非球面データ）
第6面
K= 0.00000E+00, A4= 7.03907E-06, A6= 1.73538E-06, A8=-1.58316E-08 
A10= 6.92314E-11, A12=-1.41360E-13, A14= 0.00000E+00 
第7面
K= 0.00000E+00, A4= 9.20742E-06, A6= 1.99757E-06, A8=-9.25527E-09 
A10= 1.55543E-10, A12=-2.76001E-13, A14= 0.00000E+00 
第14面
K= 0.00000E+00, A4=-2.21991E-05, A6=-1.60020E-06, A8= 1.24976E-07 
A10=-3.39866E-09, A12= 4.20857E-11, A14=-1.53813E-16 
第15面
K= 0.00000E+00, A4= 3.22722E-05, A6=-2.82561E-06, A8= 2.20595E-07 
A10=-6.12270E-09, A12= 7.24126E-11, A14=-5.87135E-16 
第19面
K= 0.00000E+00, A4=-8.89475E-05, A6=-7.28424E-07, A8= 2.18418E-08 
A10=-2.17787E-10, A12= 0.00000E+00, A14= 0.00000E+00 
第20面
K= 0.00000E+00, A4= 6.08125E-05, A6=-6.28035E-07, A8= 2.23874E-08 
A10=-2.14290E-10, A12= 0.00000E+00, A14= 0.00000E+00 
第23面
K= 0.00000E+00, A4=-2.52665E-04, A6= 1.92989E-07, A8= 1.49693E-07 
A10=-4.63114E-11, A12= 0.00000E+00, A14= 0.00000E+00 
第24面
K= 0.00000E+00, A4=-1.64660E-04, A6= 2.05481E-06, A8= 2.33718E-07 
A10=-2.08344E-09, A12= 0.00000E+00, A14= 0.00000E+00 
第25面
K= 0.00000E+00, A4=-8.10377E-05, A6=-8.05120E-06, A8=-1.79624E-07 
A10= 9.89689E-09, A12= 0.00000E+00, A14= 0.00000E+00 
第26面
K= 0.00000E+00, A4=-1.47993E-04, A6=-2.02818E-05, A8=-3.76149E-07 
A10= 2.19605E-08, A12= 0.00000E+00, A14= 0.00000E+00 
【０１２９】
表  ３（各種データ）
ズーム比    23.27974
広角      中間      望遠
焦点距離       4.6411   22.3922  108.0443
Ｆナンバー     2.85063   2.85099   2.85105
画角        41.2210   10.3348    2.0558
像高         3.3930    3.8920    3.8920
レンズ全長     91.8431  105.7605  128.8431
ＢＦ         2.7714    2.7941    2.8211
d5           0.6000   25.4000   48.1056
d12         34.7765    9.7102    1.7014
d20          2.2814    8.0955    1.2501
d22          2.1794   12.3619   28.2340
d24          3.2538    1.4409    0.8000
ズームレンズ群データ
群    始面      焦点距離
1       1      72.10667
2       6      -9.08906
3      13      19.22679
4      21     -61.19245
5      23      21.15566
6      25     -19.57561
【０１３０】
（数値実施例２）
数値実施例２のズームレンズ系は、図４に示した実施の形態２に対応する。数値実施例２のズームレンズ系の面データを表４に、非球面データを表５に、各種データを表６に示す。
【０１３１】
表  ４（面データ）
面番号         r           d           nd         vd     
物面             ∞                                    
1         83.96140     1.25000     1.90366    31.3    
2         46.47590     4.99690     1.49700    81.6    
3       -709.80670     0.15000                        
4         46.04520     4.17910     1.59282    68.6    
5        306.35190        可変                        
6*      -263.78830     0.50000     1.88202    37.2    
7*        15.39430     3.66430                        
8        -89.30300     0.55000     1.80420    46.5    
9         11.00000     5.00000     1.92286    20.9    
10        -61.97480     2.38630                        
11        -12.97010     0.55000     1.80420    46.5    
12        -84.04030        可変                        
13(絞り)           ∞     1.00000                        
14*        13.16370     2.83280     1.61035    57.9    
15*       203.78650     3.48480                        
16         21.92920     2.08820     1.43700    95.1    
17        -40.98430     0.50000     1.75520    27.5    
18         15.05090     2.80730                        
19*        14.63730     4.28680     1.52500    70.3    
20*       -18.33730        可変                        
21         53.49830     0.70000     1.80000    29.8    
22         20.74610        可変                        
23*        20.59310     2.00000     1.63550    23.9    
24*       -48.84340        可変                        
25         11.71490     0.60000     1.70154    41.1    
26          8.39090        (BF)                        
像面             ∞                                    
【０１３２】
表  ５（非球面データ）
第6面
K= 0.00000E+00, A4= 7.63579E-05, A6=-8.20832E-07, A8= 7.29428E-09 
A10=-3.63091E-11, A12= 7.05692E-14, A14= 0.00000E+00 
第7面
K= 0.00000E+00, A4= 5.04440E-05, A6=-6.29251E-07, A8= 1.69006E-09 
A10= 7.65749E-11, A12=-1.04523E-12, A14= 0.00000E+00 
第14面
K= 0.00000E+00, A4= 1.46776E-05, A6=-1.58781E-06, A8= 1.32090E-07 
A10=-3.40616E-09, A12= 4.17207E-11, A14= 4.05294E-17 
第15面
K= 0.00000E+00, A4= 8.53831E-05, A6=-2.49793E-06, A8= 2.08242E-07 
A10=-5.68134E-09, A12= 7.03937E-11, A14=-5.87133E-16 
第19面
K= 0.00000E+00, A4=-8.45850E-05, A6= 7.53780E-08, A8=-4.09606E-09 
A10= 3.61828E-11, A12= 0.00000E+00, A14= 0.00000E+00 
第20面
K= 0.00000E+00, A4= 3.89614E-05, A6= 1.38892E-07, A8=-4.90556E-09 
A10= 4.79332E-11, A12= 0.00000E+00, A14= 0.00000E+00 
第23面
K= 0.00000E+00, A4= 3.07337E-05, A6=-3.04031E-06, A8= 1.30493E-07 
A10=-1.18745E-09, A12= 0.00000E+00, A14= 0.00000E+00 
第24面
K= 0.00000E+00, A4= 9.23579E-05, A6=-4.21265E-06, A8= 1.85834E-07 
A10=-1.99753E-09, A12= 0.00000E+00, A14= 0.00000E+00 
【０１３３】
表  ６（各種データ）
ズーム比    23.27799
広角      中間      望遠
焦点距離       4.6406   22.3890  108.0242
Ｆナンバー     2.85062   2.85017   2.85035
画角        41.7241   10.8092    2.0067
像高         3.3930    3.8917    3.8920
レンズ全長     85.5628  101.0141  127.5627
ＢＦ         4.0041    3.9749    4.0043
d5           0.6000   25.4000   49.5829
d12         31.5541    7.3942    1.6034
d20          1.2500   15.4447    9.0177
d22          2.6655    3.9412   19.8358
d24          5.9667    5.3075    3.9964
ズームレンズ群データ
群    始面      焦点距離
1       1      73.39099
2       6      -8.69400
3      13      17.82752
4      21     -42.76525
5      23      23.05219
6      25     -45.54273
【０１３４】
（数値実施例３）
数値実施例３のズームレンズ系は、図７に示した実施の形態３に対応する。数値実施例３のズームレンズ系の面データを表７に、非球面データを表８に、各種データを表９に示す。
【０１３５】
表  ７（面データ）
面番号         r           d           nd         vd     
物面             ∞                                    
1        124.45980     1.25000     1.90366    31.3    
2         57.01060     4.98570     1.49700    81.6    
3       2762.40130     0.15000                        
4         59.57740     4.17970     1.59282    68.6    
5       1143.79190     0.15000                        
6         56.24580     2.32830     1.49700    81.6    
7        120.74790        可変                        
8*        51.26110     0.50000     1.88202    37.2    
9*        12.21230     4.92590                        
10        -22.32630     0.55000     1.80420    46.5    
11         14.25070     3.24550     1.92286    20.9    
12        -47.60180     1.61580                        
13        -14.49640     0.55000     1.80420    46.5    
14        -40.59450        可変                        
15(絞り)           ∞     1.07740                        
16*        12.85200     2.85900     1.51760    63.5    
17*       227.47230     6.73230                        
18         14.04740     3.00910     1.49700    81.6    
19        -40.95780     0.50000     1.69895    30.0    
20         13.24750     3.59360                        
21*        11.17310     3.86220     1.52996    55.8    
22*       -44.69580        可変                        
23         80.51560     2.13330     1.69384    53.1    
24         22.35780        可変                        
25*        30.56000     1.66000     1.61035    57.9    
26*       -60.47800     0.50100                        
27         15.90920     2.76060     1.80518    25.5    
28         12.45570        (BF)                        
像面             ∞                                    
【０１３６】
表  ８（非球面データ）
第8面
K= 0.00000E+00, A4=-2.15652E-05, A6= 1.69349E-06, A8=-1.94115E-08 
A10= 8.49738E-11, A12=-9.61072E-14, A14= 0.00000E+00 
第9面
K= 0.00000E+00, A4=-2.49121E-05, A6= 1.27123E-06, A8= 1.41551E-08 
A10=-2.61562E-10, A12= 4.49913E-13, A14= 0.00000E+00 
第16面
K= 0.00000E+00, A4=-3.04137E-05, A6=-1.68911E-06, A8= 1.20172E-07 
A10=-3.34117E-09, A12= 4.21124E-11, A14= 7.45635E-16 
第17面
K= 0.00000E+00, A4= 2.14583E-05, A6=-3.08631E-06, A8= 2.21305E-07 
A10=-6.10459E-09, A12= 7.23383E-11, A14=-7.26924E-15 
第21面
K= 0.00000E+00, A4=-1.02865E-04, A6=-1.00237E-06, A8= 1.89860E-08 
A10=-2.96477E-10, A12= 0.00000E+00, A14= 0.00000E+00 
第22面
K= 0.00000E+00, A4= 6.32235E-05, A6=-6.67878E-07, A8= 1.56517E-08 
A10=-2.38086E-10, A12= 0.00000E+00, A14= 0.00000E+00 
第25面
K= 0.00000E+00, A4=-5.30369E-04, A6= 1.28246E-06, A8=-1.65118E-08 
A10= 1.25837E-09, A12= 0.00000E+00, A14= 0.00000E+00 
第26面
K= 0.00000E+00, A4=-5.81172E-04, A6= 3.79435E-06, A8= 1.50369E-08 
A10= 3.61571E-10, A12= 0.00000E+00, A14= 0.00000E+00 
【０１３７】
表  ９（各種データ）
ズーム比    23.30577
広角      中間      望遠
焦点距離       4.5799   22.1224  106.7388
Ｆナンバー     2.85077   2.85037   2.85014
画角        40.6642    9.9776    1.9641
像高         3.3930    3.8920    3.8920
レンズ全長     92.8788  107.9142  129.8019
ＢＦ         3.6236    3.6332    3.5781
d7           0.6000   25.3493   48.0279
d14         34.0543    9.4275    1.5344
d22          1.9978    5.3632    1.2632
d24          3.1073   14.6548   25.8570
ズームレンズ群データ
群    始面      焦点距離
1       1      71.12830
2       8      -8.64638
3      15      18.40932
4      23     -45.29138
5      25      41.49418
【０１３８】
（数値実施例４）
数値実施例４のズームレンズ系は、図１０に示した実施の形態４に対応する。数値実施例４のズームレンズ系の面データを表１０に、非球面データを表１１に、各種データを表１２に示す。
【０１３９】
表  １０（面データ）
面番号         r           d           nd         vd     
物面             ∞                                    
1         92.75920     1.25000     1.90366    31.3    
2         49.80050     5.00000     1.49700    81.6    
3       -562.50160     0.15000                        
4         45.96440     4.16140     1.59282    68.6    
5        244.72290        可変                        
6*      -200.89350     0.50000     1.84973    40.6    
7*        29.28690     3.44440                        
8        -30.43030     0.55000     1.80420    46.5    
9         14.83270     1.02260                        
10         17.72110     3.06220     2.00171    20.7    
11        -68.91810     0.56950                        
12        -32.12080     0.55000     1.80420    46.5    
13         39.88410        可変                        
14(絞り)           ∞     1.00000                        
15*        19.84410     2.42830     1.52500    70.4    
16*       -37.86360     5.09380                        
17        201.22880     2.95500     1.43700    95.1    
18        -11.24150     0.50000     1.80518    25.5    
19        -15.90840     0.30000                        
20        -82.66520     0.50000     1.69320    33.7    
21         23.32440     0.60000                        
22*        17.37980     4.96580     1.52500    70.4    
23*       -20.09370        可変                        
24       1000.55010     0.40000     1.49700    81.6    
25         14.57800        可変                        
26*        41.35120     1.65160     1.84973    40.6    
27*       -28.97700        可変                        
28         19.93230     2.29380     1.85135    40.1    
29         12.19080        (BF)                        
像面             ∞                                    
【０１４０】
表  １１（非球面データ）
第6面
K= 0.00000E+00, A4=-3.62599E-05, A6= 2.13649E-06, A8=-2.07363E-08 
A10= 1.26497E-10, A12=-2.93497E-13, A14= 0.00000E+00 
第7面
K= 0.00000E+00, A4=-5.97899E-05, A6= 1.45668E-06, A8= 1.33947E-08 
A10=-3.72182E-10, A12= 3.08502E-12, A14= 0.00000E+00 
第15面
K= 0.00000E+00, A4=-6.92258E-06, A6=-3.69585E-06, A8= 1.97004E-07 
A10=-5.72682E-09, A12= 6.87423E-11, A14=-3.22728E-16 
第16面
K= 0.00000E+00, A4= 5.40466E-05, A6=-3.54952E-06, A8= 1.84169E-07 
A10=-5.46057E-09, A12= 6.63289E-11, A14=-3.59594E-16 
第22面
K= 0.00000E+00, A4=-7.56769E-05, A6=-8.10168E-07, A8= 4.88590E-09 
A10=-2.94581E-10, A12= 0.00000E+00, A14= 0.00000E+00 
第23面
K= 0.00000E+00, A4=-1.39708E-05, A6=-5.53748E-07, A8=-1.59134E-10 
A10=-2.03175E-10, A12= 0.00000E+00, A14= 0.00000E+00 
第26面
K= 0.00000E+00, A4= 6.38132E-05, A6=-9.97756E-06, A8= 3.83966E-07 
A10=-3.38587E-09, A12= 0.00000E+00, A14= 0.00000E+00 
第27面
K= 0.00000E+00, A4= 1.50576E-04, A6=-1.14359E-05, A8= 4.37691E-07 
A10=-4.02267E-09, A12= 0.00000E+00, A14= 0.00000E+00 
【０１４１】
表  １２（各種データ）
ズーム比    23.21500
広角      中間      望遠
焦点距離       4.6406   22.3285  107.7322
Ｆナンバー     2.85011   2.85047   2.85021
画角        41.3503   11.6157    1.9900
像高         3.3930    3.8920    3.8920
レンズ全長     89.4884   92.6047  122.3765
ＢＦ         3.3502    3.3171    3.3154
d5           0.6000   22.5341   52.6386
d13         37.4487    6.1094    2.2640
d23          1.2651   13.4940    4.8143
d25          2.9183    4.1526   18.9112
d27          4.3079    3.3662    0.8000
ズームレンズ群データ
群    始面      焦点距離
1       1      77.24939
2       6     -10.48009
3      14      16.79812
4      24     -29.76985
5      26      20.26944
6      28     -42.68462
【０１４２】
（数値実施例５）
数値実施例５のズームレンズ系は、図１３に示した実施の形態５に対応する。数値実施例５のズームレンズ系の面データを表１３に、非球面データを表１４に、各種データを表１５に示す。
【０１４３】
表  １３（面データ）
面番号         r           d           nd         vd     
物面             ∞                                    
1         79.99790     1.25000     1.90366    31.3    
2         44.45100     5.00000     1.49700    81.6    
3      -2961.73330     0.15000                        
4         48.37520     4.38830     1.59282    68.6    
5        977.07150        可変                        
6*      -142.90770     0.50000     1.88202    37.2    
7*        21.72240     4.03380                        
8        -31.34780     0.55000     1.80420    46.5    
9         12.65040     5.00000     1.92286    20.9    
10        -88.87860     0.96330                        
11        -21.85110     0.55000     1.80420    46.5    
12        164.29950        可変                        
13(絞り)           ∞     1.00000                        
14*        13.05890     2.81550     1.51760    63.5    
15*       165.96890     4.10030                        
16         20.46970     3.10000     1.43700    95.1    
17        -19.38200     0.50000     1.69895    30.0    
18         21.16650     3.54760                        
19*        13.11100     3.93670     1.52996    55.8    
20*       -24.15390        可変                        
21         56.36440     0.44540     1.43700    95.1    
22         19.05840        可変                        
23*        25.15790     2.00000     1.69384    53.1    
24*       -29.61790        可変                        
25*        25.86320     0.60000     1.63550    23.9    
26*         9.34160        (BF)                        
像面             ∞                                    
【０１４４】
表  １４（非球面データ）
第6面
K= 0.00000E+00, A4= 2.91294E-05, A6= 1.35644E-06, A8=-1.27422E-08 
A10= 5.43760E-11, A12=-1.09375E-13, A14= 0.00000E+00 
第7面
K= 0.00000E+00, A4= 3.07597E-05, A6= 1.54032E-06, A8=-3.12503E-09 
A10= 8.97954E-11, A12=-2.50830E-13, A14= 0.00000E+00 
第14面
K= 0.00000E+00, A4= 3.60684E-06, A6=-1.69684E-06, A8= 1.21445E-07 
A10=-3.33576E-09, A12= 4.20857E-11, A14=-1.53813E-16 
第15面
K= 0.00000E+00, A4= 4.81157E-05, A6=-3.00612E-06, A8= 2.16050E-07 
A10=-6.05916E-09, A12= 7.24126E-11, A14=-5.87135E-16 
第19面
K= 0.00000E+00, A4=-7.95455E-05, A6=-6.59699E-07, A8= 2.32215E-08 
A10=-2.28186E-10, A12= 0.00000E+00, A14= 0.00000E+00 
第20面
K= 0.00000E+00, A4= 7.96778E-05, A6=-6.42253E-07, A8= 2.50708E-08 
A10=-2.38401E-10, A12= 0.00000E+00, A14= 0.00000E+00 
第23面
K= 0.00000E+00, A4=-3.17605E-04, A6= 1.25084E-06, A8=-7.26996E-08 
A10= 4.65159E-09, A12= 0.00000E+00, A14= 0.00000E+00 
第24面
K= 0.00000E+00, A4=-2.05015E-04, A6= 2.38725E-06, A8=-2.02005E-08 
A10= 4.17779E-09, A12= 0.00000E+00, A14= 0.00000E+00 
第25面
K= 0.00000E+00, A4=-1.57596E-04, A6=-3.16768E-05, A8= 1.32944E-06 
A10=-2.13742E-08, A12= 0.00000E+00, A14= 0.00000E+00 
第26面
K= 0.00000E+00, A4=-4.79859E-04, A6=-1.55977E-05, A8=-1.80516E-07 
A10= 1.97355E-09, A12= 0.00000E+00, A14= 0.00000E+00 
【０１４５】
表  １５（各種データ）
ズーム比    23.27906
広角      中間      望遠
焦点距離       4.6407   22.3901  108.0301
Ｆナンバー     2.85066   2.85030   2.89876
画角        41.1157   10.1627    2.0238
像高         3.3931    3.8920    3.8920
レンズ全長     90.4992  103.5042  127.4992
ＢＦ         2.7903    2.7693    2.7693
d5           0.6000   25.4000   48.0961
d12         34.0590    9.1603    1.7400
d20          2.0773    9.1744    1.2545
d22          6.3461   13.6567   31.1541
d24          2.9859    1.6819    0.8236
ズームレンズ群データ
群    始面      焦点距離
1       1      72.06655
2       6      -8.95876
3      13      17.95109
4      21     -66.13173
5      23      19.90325
6      25     -23.34038
【０１４６】
（数値実施例６）
数値実施例６のズームレンズ系は、図１６に示した実施の形態６に対応する。数値実施例６のズームレンズ系の面データを表１６に、非球面データを表１７に、各種データを表１８に示す。
【０１４７】
表  １６（面データ）
面番号         r           d           nd         vd     
物面             ∞                                    
1         92.29080     1.25000     1.90366    31.3    
2         48.22440     5.45730     1.49700    81.6    
3       -287.11830     0.15000                        
4         43.18150     4.33750     1.59282    68.6    
5        219.91930        可変                        
6*      -125.38600     0.50000     1.88202    37.2    
7*        17.01030     3.69790                        
8        -50.22220     0.55000     1.80420    46.5    
9         11.00000     6.54870     1.92286    20.9    
10        -39.00980     1.65180                        
11        -13.34240     0.55000     1.80610    40.7    
12       -276.37120        可変                        
13(絞り)           ∞     1.09990                        
14*        13.49020     2.74890     1.61035    57.9    
15*       492.32460     3.06590                        
16         21.73680     2.58890     1.43700    95.1    
17        -39.63730     0.50000     1.75520    27.5    
18         14.43810     3.22430                        
19*        14.26550     4.84180     1.52500    70.3    
20*       -18.52090        可変                        
21         75.64570     0.70000     1.80610    33.3    
22         23.87520        可変                        
23*        20.44610     1.99990     1.63550    23.9    
24*       -44.12100        可変                        
25         10.93080     0.59990     1.92286    20.9    
26          8.35650        (BF)                        
像面             ∞                                    
【０１４８】
表  １７（非球面データ）
第6面
K= 0.00000E+00, A4= 8.46888E-05, A6=-7.28555E-07, A8= 6.80042E-09 
A10=-4.10607E-11, A12= 1.00053E-13, A14= 0.00000E+00 
第7面
K= 0.00000E+00, A4= 6.03673E-05, A6=-6.98515E-07, A8= 9.80781E-09 
A10=-2.21444E-11, A12=-7.65499E-13, A14= 0.00000E+00 
第14面
K= 0.00000E+00, A4= 3.05752E-06, A6=-1.74126E-06, A8= 1.29713E-07 
A10=-3.63149E-09, A12= 4.28365E-11, A14=-4.48940E-15 
第15面
K= 0.00000E+00, A4= 6.23523E-05, A6=-2.67648E-06, A8= 1.98861E-07 
A10=-5.61538E-09, A12= 6.50709E-11, A14=-6.66716E-16 
第19面
K= 0.00000E+00, A4=-8.76283E-05, A6= 6.46989E-08, A8=-4.02665E-09 
A10= 3.16161E-11, A12= 0.00000E+00, A14= 0.00000E+00 
第20面
K= 0.00000E+00, A4= 3.79040E-05, A6= 1.41149E-07, A8=-4.39865E-09 
A10= 3.81191E-11, A12= 0.00000E+00, A14= 0.00000E+00 
第23面
K= 0.00000E+00, A4= 3.52237E-06, A6=-4.03440E-06, A8= 1.30838E-07 
A10=-7.09177E-10, A12= 0.00000E+00, A14= 0.00000E+00 
第24面
K= 0.00000E+00, A4= 6.77811E-05, A6=-5.11314E-06, A8= 1.83867E-07 
A10=-1.38931E-09, A12= 0.00000E+00, A14= 0.00000E+00 
【０１４９】
表  １８（各種データ）
ズーム比    23.27909
広角      中間      望遠
焦点距離       4.6404   22.3921  108.0241
Ｆナンバー     2.85014   2.85022   2.84965
画角        41.5379   10.5396    1.9768
像高         3.3930    3.8920    3.8920
レンズ全長     88.0377  103.5976  129.3882
ＢＦ         4.0425    4.0289    4.0363
d5           0.6000   25.4000   47.2715
d12         31.1428    7.4736    1.5000
d20          1.2500   15.0424    8.7388
d22          3.4037    4.7316   22.2940
d24          5.5785    4.8873    3.5212
ズームレンズ群データ
群    始面      焦点距離
1       1      70.68901
2       6      -8.51184
3      13      18.15092
4      21     -43.54006
5      23      22.25295
6      25     -43.29039
【０１５０】
以下の表１９に、各数値実施例のズームレンズ系における各条件の対応値を示す。
【０１５１】
表  １９（条件の対応値）
【表１】
2013114515.tif 000025
【０１５２】
以上のように、本開示における技術の例示として、実施の形態を説明した。そのために、添付図面および詳細な説明を提供した。
【０１５３】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１５４】
また、上述の実施の形態は、本開示における技術を例示するためのものであるから、特許請求の範囲またはその均等の範囲において種々の変更、置き換え、付加、省略などを行うことができる。
【産業上の利用可能性】
【０１５５】
本開示は、例えばデジタルカメラ、スマートフォン等の携帯情報端末のカメラ、監視システムにおける監視カメラ、Ｗｅｂカメラ、車載カメラ等のデジタル入力装置に適用可能である。特に本開示は、デジタルカメラ等の高画質が要求される撮影光学系に好適である。
【符号の説明】
【０１５６】
Ｇ１    第１レンズ群
Ｇ２    第２レンズ群
Ｇ３    第３レンズ群
Ｇ４    第４レンズ群
Ｇ５    第５レンズ群
Ｇ６    第６レンズ群
Ｌ１    第１レンズ素子
Ｌ２    第２レンズ素子
Ｌ３    第３レンズ素子
Ｌ４    第４レンズ素子
Ｌ５    第５レンズ素子
Ｌ６    第６レンズ素子
Ｌ７    第７レンズ素子
Ｌ８    第８レンズ素子
Ｌ９    第９レンズ素子
Ｌ１０  第１０レンズ素子
Ｌ１１  第１１レンズ素子
Ｌ１２  第１２レンズ素子
Ｌ１３  第１３レンズ素子
Ｌ１４  第１４レンズ素子
Ｌ１５  第１５レンズ素子
Ａ      開口絞り
Ｓ      像面
１      ズームレンズ系
２      撮像素子
３      液晶モニタ
４      筐体
５      主鏡筒
６      移動鏡筒
７      円筒カム
【手続補正２】
【補正対象書類名】特許請求の範囲
【補正対象項目名】全文
【補正方法】変更
【補正の内容】
【特許請求の範囲】
【請求項１】
物体側から像側へと順に、
正のパワーを有する第１レンズ群と、
負のパワーを有する第２レンズ群と、
正のパワーを有する第３レンズ群と、
負のパワーを有する第４レンズ群と、
正のパワーを有する第５レンズ群とを備え、
前記第１レンズ群が、３枚以上のレンズ素子で構成され、
撮像時の広角端から望遠端へのズーミングの際に、少なくとも前記第１レンズ群と前記第２レンズ群と前記第３レンズ群とが像面に対して移動し、
無限遠合焦状態から近接物体合焦状態へのフォーカシングの際に、像面に対して移動するフォーカシングレンズ群を備え、該フォーカシングレンズ群が、１枚のレンズ素子で構成されており、
以下の条件（１）及び（７）を満足する、ズームレンズ系：
３．２＜ＬＧ３／（ｆＴ×ｔａｎ（ωＴ））  ・・・（１）
０．３＜ｆＧ１／ｆＴ＜０．９  ・・・（７）
ここで、
ＬＧ３：第３レンズ群の光軸上での厚み、
ｆＴ：望遠端における全系の焦点距離、
ωＴ：望遠端における半画角、
ｆＧ１：第１レンズ群の焦点距離
である。
【請求項２】
以下の条件（２）を満足する、請求項１に記載のズームレンズ系：
２．０＜｜ＭＧ１／（ｆＴ×ｔａｎ（ωＴ））｜＜１５．０  ・・・（２）
ここで、
ＭＧ１：撮像時の広角端から望遠端へのズーミングの際の、第１レンズ群の光軸方向の移動量、
ｆＴ：望遠端における全系の焦点距離、
ωＴ：望遠端における半画角
である。
【請求項３】
前記第２レンズ群が、物体側から像側へと順に、負のパワーを有する第１レンズ素子と負のパワーを有する第２レンズ素子とを有し、
前記第１レンズ素子及び前記第２レンズ素子が、以下の条件（３）及び（４）を満足する、請求項１に記載のズームレンズ系：
４．１＜｜Ｒ２ａ／Ｒ２ｂ｜  ・・・（３）
−０．１＜（Ｒ２ｂ−Ｒ２ｃ）／（Ｒ２ｂ＋Ｒ２ｃ）  ・・・（４）
ここで、
Ｒ２ａ：第１レンズ素子の物体側面の曲率半径、
Ｒ２ｂ：第１レンズ素子の像側面の曲率半径、
Ｒ２ｃ：第２レンズ素子の像側面の曲率半径
である。
【請求項４】
前記第３レンズ群が、少なくとも１枚の正のパワーを有するレンズ素子を有し、以下の条件（５）を満足する、請求項１に記載のズームレンズ系：
Ｎ３ｐ＜１．６４  ・・・（５）
ここで、
Ｎ３ｐ：第３レンズ群を構成する正のパワーを有するレンズ素子の、ｄ線に対する屈折率の平均値
である。
【請求項５】
以下の条件（６）を満足する、請求項１に記載のズームレンズ系：
０．６＜｜ＭＧ４／ＭＧ２｜＜８．０  ・・・（６）
ここで、
ＭＧ２：撮像時の広角端から望遠端へのズーミングの際の、第２レンズ群の光軸方向の移動量、
ＭＧ４：撮像時の広角端から望遠端へのズーミングの際の、第４レンズ群の光軸方向の移動量
である。
【請求項６】
以下の条件（８）を満足する、請求項１に記載のズームレンズ系：
１０＜｜（Ｇ４Ｔ−Ｇ４Ｍ）／（Ｇ４Ｍ−Ｇ４Ｗ）｜  ・・・（８）
ここで、
Ｇ４Ｗ：広角端における第４レンズ群の物体側面頂から像面までの距離、
Ｇ４Ｔ：望遠端における第４レンズ群の物体側面頂から像面までの距離、
Ｇ４Ｍ：中間位置における第４レンズ群の物体側面頂から像面までの距離、
中間位置：全系の焦点距離ｆＭが次式で表される位置
ｆＭ＝√（ｆＷ＊ｆＴ）、
ｆＷ：広角端における全系の焦点距離、
ｆＴ：望遠端における全系の焦点距離
である。
【請求項７】
以下の条件（９）を満足する、請求項１に記載のズームレンズ系：
｜ＭＧ５／（ｆＴ×ｔａｎ（ωＴ））｜＜１．５  ・・・（９）
ここで、
ＭＧ５：撮像時の広角端から望遠端へのズーミングの際の、第５レンズ群の光軸方向の移動量、
ｆＴ：望遠端における全系の焦点距離、
ωＴ：望遠端における半画角
である。
【請求項８】
前記第２レンズ群が、少なくとも１組の接合レンズ素子を含む、請求項１に記載のズームレンズ系。
【請求項９】
撮像時の広角端から望遠端へのズーミングの際に、少なくとも１つのレンズ群が、像面に対して固定されている、請求項１に記載のズームレンズ系。
【請求項１０】
物体の光学的な像を電気的な画像信号として出力可能な撮像装置であって、
物体の光学的な像を形成するズームレンズ系と、
該ズームレンズ系により形成された光学的な像を電気的な画像信号に変換する撮像素子と
を備え、
前記ズームレンズ系が、請求項１に記載のズームレンズ系である、撮像装置。
【請求項１１】
物体の光学的な像を電気的な画像信号に変換し、変換された画像信号の表示及び記憶の少なくとも一方を行うカメラであって、
物体の光学的な像を形成するズームレンズ系と、該ズームレンズ系により形成された光学的な像を電気的な画像信号に変換する撮像素子とを含む撮像装置を備え、
前記ズームレンズ系が、請求項１に記載のズームレンズ系である、カメラ。
【手続補正３】
【補正対象書類名】図面
【補正対象項目名】全図
【補正方法】変更
【補正の内容】
【図１】
2013114515.tif 000026
【図２】
2013114515.tif 000027
【図３】
2013114515.tif 000028
【図４】
2013114515.tif 000029
【図５】
2013114515.tif 000030
【図６】
2013114515.tif 000031
【図７】
2013114515.tif 000032
【図８】
2013114515.tif 000033
【図９】
2013114515.tif 000034
【図１０】
2013114515.tif 000035
【図１１】
2013114515.tif 000036
【図１２】
2013114515.tif 000037
【図１３】
2013114515.tif 000038
【図１４】
2013114515.tif 000039
【図１５】
2013114515.tif 000040
【図１６】
2013114515.tif 000041
【図１７】
2013114515.tif 000042
【図１８】
2013114515.tif 000043
【図１９】
2013114515.tif 000044
【国際調査報告】
2013114515.tif 000045
2013114515.tif 000046
2013114515.tif 000047
2013114515.tif 000048